(57)【要約】  第一形状に対応する第一衣服情報又は第二形状に対応する第二衣服情報が取得され、第一柄に対応する第一柄情報又は第二柄に対応する第二柄情報が取得される。第一衣服情報に関連付けられた第一形状の衣服に対応する第一衣服データ又は第二衣服情報に関連付けられた第二形状の衣服に対応する第二衣服データと、第一柄情報に関連付けられた第一柄に対応する第一柄データ又は第二柄情報に関連付けられた第二柄に対応する第二柄データが合成され、第一柄又は第二柄の第一形状又は第二形状の衣服の合成画像に対応する合成データが生成される。表示装置（４０）に、合成データに対応する合成画像が出力される。表示装置（４０）では、合成画像が表示される。
2016158896.tif 000002
【特許請求の範囲】
【請求項１】
端末装置と、画像処理装置と、表示装置と、を含む衣服デザイン表示システムであって、
前記端末装置は、
衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する第一制御部と、
前記画像処理装置に、前記第一制御部で取得された前記衣服情報と前記柄情報とを送信する第一通信部と、を備え、
前記画像処理装置は、
前記端末装置から送信された前記衣服情報と前記柄情報とを受信する第二通信部と、
前記第一衣服情報に関連付けられた前記第一形状の衣服に対応する第一衣服データと、前記第二衣服情報に関連付けられた前記第二形状の衣服に対応する第二衣服データと、を記憶し、前記第一柄情報に関連付けられた前記第一柄に対応する第一柄データと、前記第二柄情報に関連付けられた前記第二柄に対応する第二柄データと、を記憶する記憶部と、
前記第二通信部で受信された前記衣服情報と前記柄情報とが、前記第一衣服情報と前記第一柄情報とである場合、前記第一衣服データと、前記第一柄データと、を合成し、前記第一柄の前記第一形状の衣服の合成画像に対応する合成データを生成し、前記第二通信部で受信された前記衣服情報と前記柄情報とが、前記第一衣服情報と前記第二柄情報とである場合、前記第一衣服データと、前記第二柄データと、を合成し、前記第二柄の前記第一形状の衣服の合成画像に対応する合成データを生成し、前記第二通信部で受信された前記衣服情報と前記柄情報とが、前記第二衣服情報と前記第一柄情報とである場合、前記第二衣服データと、前記第一柄データと、を合成し、前記第一柄の前記第二形状の衣服の合成画像に対応する合成データを生成し、前記第二通信部で受信された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成する第二制御部と、
前記表示装置に、前記第二制御部で生成された前記合成データに対応する前記合成画像を出力する出力部と、を備え、
前記表示装置は、前記画像処理装置から出力された前記合成画像を表示する、衣服デザイン表示システム。
【請求項２】
前記第一制御部は、人間の体型に対応する体型情報として、第一体型に対応する第一体型情報と、前記第一体型とは異なる第二体型に対応する第二体型情報と、の何れかを取得し、
前記第一通信部は、前記画像処理装置に、前記第一制御部で取得された前記衣服情報と前記柄情報と前記体型情報とを送信し、
前記第二通信部は、前記端末装置から送信された前記衣服情報と前記柄情報と前記体型情報とを受信し、
前記記憶部は、前記第一体型情報に関連付けられた前記第一体型である人形に対応する第一人形データと、前記第二体型情報に関連付けられた前記第二体型である人形に対応する第二人形データと、を記憶し、
前記第二制御部は、
前記第二通信部で受信された前記衣服情報と前記柄情報と前記体型情報とが、前記第一衣服情報と前記第一柄情報と前記第一体型情報とである場合、前記第一衣服データと、前記第一柄データと、前記第一人形データと、を合成し、前記第一柄の前記第一形状の衣服を着用した前記第一体型の人形の合成画像に対応する合成データを生成し、
前記第二通信部で受信された前記衣服情報と前記柄情報と前記体型情報とが、前記第一衣服情報と前記第一柄情報と前記第二体型情報とである場合、前記第一衣服データと、前記第一柄データと、前記第二人形データと、を合成し、前記第一柄の前記第一形状の衣服を着用した前記第二体型の人形の合成画像に対応する合成データを生成し、
前記第二通信部で受信された前記衣服情報と前記柄情報と前記体型情報とが、前記第一衣服情報と前記第二柄情報と前記第一体型情報とである場合、前記第一衣服データと、前記第二柄データと、前記第一人形データと、を合成し、前記第二柄の前記第一形状の衣服を着用した前記第一体型の人形の合成画像に対応する合成データを生成し、
前記第二通信部で受信された前記衣服情報と前記柄情報と前記体型情報とが、前記第一衣服情報と前記第二柄情報と前記第二体型情報とである場合、前記第一衣服データと、前記第二柄データと、前記第二人形データと、を合成し、前記第二柄の前記第一形状の衣服を着用した前記第二体型の人形の合成画像に対応する合成データを生成し、
前記第二通信部で受信された前記衣服情報と前記柄情報と前記体型情報とが、前記第二衣服情報と前記第一柄情報と前記第一体型情報とである場合、前記第二衣服データと、前記第一柄データと、前記第一人形データと、を合成し、前記第一柄の前記第二形状の衣服を着用した前記第一体型の人形の合成画像に対応する合成データを生成し、
前記第二通信部で受信された前記衣服情報と前記柄情報と前記体型情報とが、前記第二衣服情報と前記第一柄情報と前記第二体型情報とである場合、前記第二衣服データと、前記第一柄データと、前記第二人形データと、を合成し、前記第一柄の前記第二形状の衣服を着用した前記第二体型の人形の合成画像に対応する合成データを生成し、
前記第二通信部で受信された前記衣服情報と前記柄情報と前記体型情報とが、前記第二衣服情報と前記第二柄情報と前記第一体型情報とである場合、前記第二衣服データと、前記第二柄データと、前記第一人形データと、を合成し、前記第二柄の前記第二形状の衣服を着用した前記第一体型の人形の合成画像に対応する合成データを生成し、
前記第二通信部で受信された前記衣服情報と前記柄情報と前記体型情報とが、前記第二衣服情報と前記第二柄情報と前記第二体型情報とである場合、前記第二衣服データと、前記第二柄データと、前記第二人形データと、を合成し、前記第二柄の前記第二形状の衣服を着用した前記第二体型の人形の合成画像に対応する合成データを生成する、請求項１に記載の衣服デザイン表示システム。
【請求項３】
前記第二制御部は、
撮影装置で撮影された前記人間の頭部を含む撮影画像に対応する撮影データを取得し、
前記第二制御部で取得された前記撮影データから、前記人間の頭部の頭部画像に対応する頭部データを抽出し、
前記第二通信部で受信された前記衣服情報と前記柄情報と前記体型情報とが、前記第一衣服情報と前記第一柄情報と前記第一体型情報とである場合、前記第一衣服データと、前記第一柄データと、前記第一人形データと、前記第二制御部で抽出された前記頭部データと、を合成し、前記第一柄の前記第一形状の衣服を着用した前記第一体型で、且つ頭部を前記頭部データに対応する前記頭部画像とした人形の合成画像に対応する合成データを生成し、
前記第二通信部で受信された前記衣服情報と前記柄情報と前記体型情報とが、前記第一衣服情報と前記第一柄情報と前記第二体型情報とである場合、前記第一衣服データと、前記第一柄データと、前記第二人形データと、前記第二制御部で抽出された前記頭部データと、を合成し、前記第一柄の前記第一形状の衣服を着用した前記第二体型で、且つ頭部を前記頭部データに対応する前記頭部画像とした人形の合成画像に対応する合成データを生成し、
前記第二通信部で受信された前記衣服情報と前記柄情報と前記体型情報とが、前記第一衣服情報と前記第二柄情報と前記第一体型情報とである場合、前記第一衣服データと、前記第二柄データと、前記第一人形データと、前記第二制御部で抽出された前記頭部データと、を合成し、前記第二柄の前記第一形状の衣服を着用した前記第一体型で、且つ頭部を前記頭部データに対応する前記頭部画像とした人形の合成画像に対応する合成データを生成し、
前記第二通信部で受信された前記衣服情報と前記柄情報と前記体型情報とが、前記第一衣服情報と前記第二柄情報と前記第二体型情報とである場合、前記第一衣服データと、前記第二柄データと、前記第二人形データと、前記第二制御部で抽出された前記頭部データと、を合成し、前記第二柄の前記第一形状の衣服を着用した前記第二体型で、且つ頭部を前記頭部データに対応する前記頭部画像とした人形の合成画像に対応する合成データを生成し、
前記第二通信部で受信された前記衣服情報と前記柄情報と前記体型情報とが、前記第二衣服情報と前記第一柄情報と前記第一体型情報とである場合、前記第二衣服データと、前記第一柄データと、前記第一人形データと、前記第二制御部で抽出された前記頭部データと、を合成し、前記第一柄の前記第二形状の衣服を着用した前記第一体型で、且つ頭部を前記頭部データに対応する前記頭部画像とした人形の合成画像に対応する合成データを生成し、
前記第二通信部で受信された前記衣服情報と前記柄情報と前記体型情報とが、前記第二衣服情報と前記第一柄情報と前記第二体型情報とである場合、前記第二衣服データと、前記第一柄データと、前記第二人形データと、前記第二制御部で抽出された前記頭部データと、を合成し、前記第一柄の前記第二形状の衣服を着用した前記第二体型で、且つ頭部を前記頭部データに対応する前記頭部画像とした人形の合成画像に対応する合成データを生成し、
前記第二通信部で受信された前記衣服情報と前記柄情報と前記体型情報とが、前記第二衣服情報と前記第二柄情報と前記第一体型情報とである場合、前記第二衣服データと、前記第二柄データと、前記第一人形データと、前記第二制御部で抽出された前記頭部データと、を合成し、前記第二柄の前記第二形状の衣服を着用した前記第一体型で、且つ頭部を前記頭部データに対応する前記頭部画像とした人形の合成画像に対応する合成データを生成し、
前記第二通信部で受信された前記衣服情報と前記柄情報と前記体型情報とが、前記第二衣服情報と前記第二柄情報と前記第二体型情報とである場合、前記第二衣服データと、前記第二柄データと、前記第二人形データと、前記第二制御部で抽出された前記頭部データと、を合成し、前記第二柄の前記第二形状の衣服を着用した前記第二体型で、且つ頭部を前記頭部データに対応する前記頭部画像とした人形の合成画像に対応する合成データを生成する、請求項２に記載の衣服デザイン表示システム。
【請求項４】
前記第二制御部は、
前記第二制御部で抽出された前記頭部データから、前記頭部画像に含まれる前記人間の肌の色情報を特定し、
頭部を前記頭部データに対応する前記頭部画像とし、且つ着用した衣服によって被覆されていない頭部を除く人形の部分を、前記第二制御部で特定された色情報に対応する色とした人形の前記合成画像に対応する前記合成データを生成する、請求項３に記載の衣服デザイン表示システム。
【請求項５】
前記第二制御部は、前記合成画像に対応する前記合成データとして、頭部が前記頭部データに対応する前記頭部画像とされていない人形の第一合成画像に対応する第一合成データと、頭部を前記頭部データに対応する前記頭部画像とした人形の第二合成画像に対応する第二合成データと、を生成し、
前記出力部は、前記表示装置に、前記第二制御部で生成された前記第二合成データに対応する前記第二合成画像を出力し、
前記第二通信部は、前記端末装置に、前記第二制御部で生成された前記第一合成データを送信し、
前記第一通信部は、前記画像処理装置から送信された前記第一合成データを受信し、
前記端末装置は、前記第一通信部で受信された前記第一合成データに対応する前記第一合成画像を表示する表示部を備える、請求項３又は請求項４に記載の衣服デザイン表示システム。
【請求項６】
前記第二通信部は、前記端末装置に、前記第二制御部で生成された前記合成データを送信し、
前記第一通信部は、前記画像処理装置から送信された前記合成データを受信し、
前記端末装置は、前記第一通信部で受信された前記合成データに対応する前記合成画像を表示する表示部を備える、請求項１から請求項４の何れか１項に記載の衣服デザイン表示システム。
【請求項７】
請求項１から請求項６の何れか１項に記載の衣服デザイン表示システムと、衣服を製造する衣服製造装置と、を含む衣服製造システムであって、
前記衣服製造装置は、前記第二制御部で生成された前記合成データに対応する前記合成画像における衣服を製造する、衣服製造システム。
【請求項８】
衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する制御部と、
前記第一衣服情報に関連付けられた前記第一形状の衣服に対応する第一衣服データと、前記第二衣服情報に関連付けられた前記第二形状の衣服に対応する第二衣服データと、を記憶し、前記第一柄情報に関連付けられた前記第一柄に対応する第一柄データと、前記第二柄情報に関連付けられた前記第二柄に対応する第二柄データと、を記憶する記憶部と、
合成画像を表示する表示装置に、合成データに対応する前記合成画像を出力する出力部と、を備え、
前記制御部は、
前記制御部で取得された前記衣服情報と前記柄情報とが、前記第一衣服情報と前記第一柄情報とである場合、前記第一衣服データと、前記第一柄データと、を合成し、前記第一柄の前記第一形状の衣服の合成画像に対応する合成データを生成し、
前記制御部で取得された前記衣服情報と前記柄情報とが、前記第一衣服情報と前記第二柄情報とである場合、前記第一衣服データと、前記第二柄データと、を合成し、前記第二柄の前記第一形状の衣服の合成画像に対応する合成データを生成し、
前記制御部で取得された前記衣服情報と前記柄情報とが、前記第二衣服情報と前記第一柄情報とである場合、前記第二衣服データと、前記第一柄データと、を合成し、前記第一柄の前記第二形状の衣服の合成画像に対応する合成データを生成し、
前記制御部で取得された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成し、
前記出力部は、前記表示装置に、前記制御部で生成された前記合成データに対応する前記合成画像を出力する、衣服デザイン出力システム。
【請求項９】
衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する取得工程と、
前記取得工程で取得された前記衣服情報と前記柄情報とが、前記第一衣服情報と前記第一柄情報とである場合、前記第一衣服情報に関連付けられた前記第一形状の衣服に対応する第一衣服データと、前記第一柄情報に関連付けられた前記第一柄に対応する第一柄データと、を合成し、前記第一柄の前記第一形状の衣服の合成画像に対応する合成データを生成し、前記取得工程で取得された前記衣服情報と前記柄情報とが、前記第一衣服情報と前記第二柄情報とである場合、前記第一衣服データと、前記第二柄情報に関連付けられた前記第二柄に対応する第二柄データと、を合成し、前記第二柄の前記第一形状の衣服の合成画像に対応する合成データを生成し、前記取得工程で取得された前記衣服情報と前記柄情報とが、前記第二衣服情報と前記第一柄情報とである場合、前記第二衣服情報に関連付けられた前記第二形状の衣服に対応する第二衣服データと、前記第一柄データと、を合成し、前記第一柄の前記第二形状の衣服の合成画像に対応する合成データを生成し、前記取得工程で取得された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成する合成工程と、
前記合成画像を表示する表示装置に、前記合成工程で生成された前記合成データに対応する前記合成画像を出力する出力工程と、を含む、衣服デザイン出力方法。
【発明の詳細な説明】
【技術分野】
【０００１】
本発明は、衣服の合成画像を表示する衣服デザイン表示システムと、衣服を製造する衣服製造システムと、衣服の合成画像を表示装置に出力する衣服デザイン出力システム及び衣服デザイン出力方法に関する。
【背景技術】
【０００２】
衣服を作製する際、完成後の衣服の印象を事前に確認する技術が提案されている。例えば、特許文献１には、衣料・服飾品の製造方法が開示されている。製造方法は、生地・デザイン選択工程を含む。生地・デザイン選択工程では、店員又は客自身が、小売り店舗内に設置された選択・着衣イメージ表示装置を用いて作業を行う。顧客の好みのデザインと生地が選択及び決定される。選択されたデザインに対し、３次元デザイン部品を用いて色柄設定が施される。コンピュータグラフィックスにより、できあがりイメージが表示される。
【先行技術文献】
【特許文献】
【０００３】
【特許文献１】特開２０００−１８７６８３号公報
【発明の概要】
【発明が解決しようとする課題】
【０００４】
顧客の要望に合ったデザインの衣服をカスタムメイドして販売する販売形態がある。発明者は、このような販売形態では、実際に完成した状態の衣服から受ける印象を、衣服の作製前に確認できるシステムが有効であると考えた。完成後の衣服における色彩が、顧客が印象していた色彩と相違すると、顧客に満足感を提供することができない。発明者は、実際に完成した状態の衣服から受ける印象を、デザイン段階で表現する技術について検討した。その際、発明者は、デザイン段階において、顧客の要望に合う衣服をスムーズにデザインすることを可能とする技術についても検討した。【０００５】
本発明は、カスタムメイドされる衣服について完成後の衣服から受ける印象に近い印象の合成画像を、デザイン段階において表示装置に表示することが可能な、衣服デザイン表示システムと衣服製造システムと衣服デザイン出力システムと衣服デザイン出力方法を提供することを目的とする。
【課題を解決するための手段】
【０００６】
本発明の一側面は、端末装置と、画像処理装置と、表示装置と、を含む衣服デザイン表示システムであって、前記端末装置は、衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する第一制御部と、前記画像処理装置に、前記第一制御部で取得された前記衣服情報と前記柄情報とを送信する第一通信部と、を備え、前記画像処理装置は、前記端末装置から送信された前記衣服情報と前記柄情報とを受信する第二通信部と、前記第一衣服情報に関連付けられた前記第一形状の衣服に対応する第一衣服データと、前記第二衣服情報に関連付けられた前記第二形状の衣服に対応する第二衣服データと、を記憶し、前記第一柄情報に関連付けられた前記第一柄に対応する第一柄データと、前記第二柄情報に関連付けられた前記第二柄に対応する第二柄データと、を記憶する記憶部と、前記第二通信部で受信された前記衣服情報と前記柄情報とが、前記第一衣服情報と前記第一柄情報とである場合、前記第一衣服データと、前記第一柄データと、を合成し、前記第一柄の前記第一形状の衣服の合成画像に対応する合成データを生成し、前記第二通信部で受信された前記衣服情報と前記柄情報とが、前記第一衣服情報と前記第二柄情報とである場合、前記第一衣服データと、前記第二柄データと、を合成し、前記第二柄の前記第一形状の衣服の合成画像に対応する合成データを生成し、前記第二通信部で受信された前記衣服情報と前記柄情報とが、前記第二衣服情報と前記第一柄情報とである場合、前記第二衣服データと、前記第一柄データと、を合成し、前記第一柄の前記第二形状の衣服の合成画像に対応する合成データを生成し、前記第二通信部で受信された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成する第二制御部と、前記表示装置に、前記第二制御部で生成された前記合成データに対応する前記合成画像を出力する出力部と、を備え、前記表示装置は、前記画像処理装置から出力された前記合成画像を表示する、衣服デザイン表示システムである。【０００７】
この衣服デザイン表示システムによれば、端末装置で取得された衣服情報と柄情報に応じた所定の柄の所定の形状の衣服の合成画像を、表示装置に表示することができる。表示装置を大型化することで、所定の柄の所定の形状の衣服を大きく表示することができる。所定の柄の所定の形状の衣服を大きく表示することで、合成画像上の衣服と実物の衣服の大きさが近似値となり、面積効果による知覚色の差異に起因する不具合が未然に解消される。【０００８】
衣服デザイン表示システムでは、前記第一制御部は、人間の体型に対応する体型情報として、第一体型に対応する第一体型情報と、前記第一体型とは異なる第二体型に対応する第二体型情報と、の何れかを取得し、前記第一通信部は、前記画像処理装置に、前記第一制御部で取得された前記衣服情報と前記柄情報と前記体型情報とを送信し、前記第二通信部は、前記端末装置から送信された前記衣服情報と前記柄情報と前記体型情報とを受信し、前記記憶部は、前記第一体型情報に関連付けられた前記第一体型である人形に対応する第一人形データと、前記第二体型情報に関連付けられた前記第二体型である人形に対応する第二人形データと、を記憶し、前記第二制御部は、前記第二通信部で受信された前記衣服情報と前記柄情報と前記体型情報とが、前記第一衣服情報と前記第一柄情報と前記第一体型情報とである場合、前記第一衣服データと、前記第一柄データと、前記第一人形データと、を合成し、前記第一柄の前記第一形状の衣服を着用した前記第一体型の人形の合成画像に対応する合成データを生成し、前記第二通信部で受信された前記衣服情報と前記柄情報と前記体型情報とが、前記第一衣服情報と前記第一柄情報と前記第二体型情報とである場合、前記第一衣服データと、前記第一柄データと、前記第二人形データと、を合成し、前記第一柄の前記第一形状の衣服を着用した前記第二体型の人形の合成画像に対応する合成データを生成し、前記第二通信部で受信された前記衣服情報と前記柄情報と前記体型情報とが、前記第一衣服情報と前記第二柄情報と前記第一体型情報とである場合、前記第一衣服データと、前記第二柄データと、前記第一人形データと、を合成し、前記第二柄の前記第一形状の衣服を着用した前記第一体型の人形の合成画像に対応する合成データを生成し、前記第二通信部で受信された前記衣服情報と前記柄情報と前記体型情報とが、前記第一衣服情報と前記第二柄情報と前記第二体型情報とである場合、前記第一衣服データと、前記第二柄データと、前記第二人形データと、を合成し、前記第二柄の前記第一形状の衣服を着用した前記第二体型の人形の合成画像に対応する合成データを生成し、前記第二通信部で受信された前記衣服情報と前記柄情報と前記体型情報とが、前記第二衣服情報と前記第一柄情報と前記第一体型情報とである場合、前記第二衣服データと、前記第一柄データと、前記第一人形データと、を合成し、前記第一柄の前記第二形状の衣服を着用した前記第一体型の人形の合成画像に対応する合成データを生成し、前記第二通信部で受信された前記衣服情報と前記柄情報と前記体型情報とが、前記第二衣服情報と前記第一柄情報と前記第二体型情報とである場合、前記第二衣服データと、前記第一柄データと、前記第二人形データと、を合成し、前記第一柄の前記第二形状の衣服を着用した前記第二体型の人形の合成画像に対応する合成データを生成し、前記第二通信部で受信された前記衣服情報と前記柄情報と前記体型情報とが、前記第二衣服情報と前記第二柄情報と前記第一体型情報とである場合、前記第二衣服データと、前記第二柄データと、前記第一人形データと、を合成し、前記第二柄の前記第二形状の衣服を着用した前記第一体型の人形の合成画像に対応する合成データを生成し、前記第二通信部で受信された前記衣服情報と前記柄情報と前記体型情報とが、前記第二衣服情報と前記第二柄情報と前記第二体型情報とである場合、前記第二衣服データと、前記第二柄データと、前記第二人形データと、を合成し、前記第二柄の前記第二形状の衣服を着用した前記第二体型の人形の合成画像に対応する合成データを生成する、ようにしてもよい。【０００９】
この構成によれば、端末装置で取得された衣服情報と柄情報と体型情報に応じた所定の柄の所定の形状の衣服を着用した所定の体型の人形の合成画像を、表示装置に表示することができる。所定の柄の所定の形状の衣服を、所定の体型の人形に着用させた状態の合成画像とすることで、利用者に、新たにデザインされた衣服の印象を認識させることができる。例えば、新たにデザインされた衣服がノースリーブ又はショートスリーブであったとする。利用者が、実際に着用している衣服が、長袖の衣服であったとする。合成データとして、長袖の衣服を着用した利用者の全身を撮影し、利用者が、更に前述のノースリーブ又はショートスリーブの衣服を着用した状態の合成画像に対応する合成データを生成することもできる。但し、このような状態の合成画像では、利用者が実際に着用している衣服の長袖の部分及びその部分の柄の影響により、新たにデザインされた衣服の印象を正しく認識することが困難となることがある。新たにデザインされた衣服の印象を認識する際、利用者が実際に着用している衣服による影響を抑制することができる。【００１０】
衣服デザイン表示システムでは、前記第二制御部は、撮影装置で撮影された前記人間の頭部を含む撮影画像に対応する撮影データを取得し、前記第二制御部で取得された前記撮影データから、前記人間の頭部の頭部画像に対応する頭部データを抽出し、前記第二通信部で受信された前記衣服情報と前記柄情報と前記体型情報とが、前記第一衣服情報と前記第一柄情報と前記第一体型情報とである場合、前記第一衣服データと、前記第一柄データと、前記第一人形データと、前記第二制御部で抽出された前記頭部データと、を合成し、前記第一柄の前記第一形状の衣服を着用した前記第一体型で、且つ頭部を前記頭部データに対応する前記頭部画像とした人形の合成画像に対応する合成データを生成し、前記第二通信部で受信された前記衣服情報と前記柄情報と前記体型情報とが、前記第一衣服情報と前記第一柄情報と前記第二体型情報とである場合、前記第一衣服データと、前記第一柄データと、前記第二人形データと、前記第二制御部で抽出された前記頭部データと、を合成し、前記第一柄の前記第一形状の衣服を着用した前記第二体型で、且つ頭部を前記頭部データに対応する前記頭部画像とした人形の合成画像に対応する合成データを生成し、前記第二通信部で受信された前記衣服情報と前記柄情報と前記体型情報とが、前記第一衣服情報と前記第二柄情報と前記第一体型情報とである場合、前記第一衣服データと、前記第二柄データと、前記第一人形データと、前記第二制御部で抽出された前記頭部データと、を合成し、前記第二柄の前記第一形状の衣服を着用した前記第一体型で、且つ頭部を前記頭部データに対応する前記頭部画像とした人形の合成画像に対応する合成データを生成し、前記第二通信部で受信された前記衣服情報と前記柄情報と前記体型情報とが、前記第一衣服情報と前記第二柄情報と前記第二体型情報とである場合、前記第一衣服データと、前記第二柄データと、前記第二人形データと、前記第二制御部で抽出された前記頭部データと、を合成し、前記第二柄の前記第一形状の衣服を着用した前記第二体型で、且つ頭部を前記頭部データに対応する前記頭部画像とした人形の合成画像に対応する合成データを生成し、前記第二通信部で受信された前記衣服情報と前記柄情報と前記体型情報とが、前記第二衣服情報と前記第一柄情報と前記第一体型情報とである場合、前記第二衣服データと、前記第一柄データと、前記第一人形データと、前記第二制御部で抽出された前記頭部データと、を合成し、前記第一柄の前記第二形状の衣服を着用した前記第一体型で、且つ頭部を前記頭部データに対応する前記頭部画像とした人形の合成画像に対応する合成データを生成し、前記第二通信部で受信された前記衣服情報と前記柄情報と前記体型情報とが、前記第二衣服情報と前記第一柄情報と前記第二体型情報とである場合、前記第二衣服データと、前記第一柄データと、前記第二人形データと、前記第二制御部で抽出された前記頭部データと、を合成し、前記第一柄の前記第二形状の衣服を着用した前記第二体型で、且つ頭部を前記頭部データに対応する前記頭部画像とした人形の合成画像に対応する合成データを生成し、前記第二通信部で受信された前記衣服情報と前記柄情報と前記体型情報とが、前記第二衣服情報と前記第二柄情報と前記第一体型情報とである場合、前記第二衣服データと、前記第二柄データと、前記第一人形データと、前記第二制御部で抽出された前記頭部データと、を合成し、前記第二柄の前記第二形状の衣服を着用した前記第一体型で、且つ頭部を前記頭部データに対応する前記頭部画像とした人形の合成画像に対応する合成データを生成し、前記第二通信部で受信された前記衣服情報と前記柄情報と前記体型情報とが、前記第二衣服情報と前記第二柄情報と前記第二体型情報とである場合、前記第二衣服データと、前記第二柄データと、前記第二人形データと、前記第二制御部で抽出された前記頭部データと、を合成し、前記第二柄の前記第二形状の衣服を着用した前記第二体型で、且つ頭部を前記頭部データに対応する前記頭部画像とした人形の合成画像に対応する合成データを生成する、ようにしてもよい。この場合、前記第二制御部は、前記第二制御部で抽出された前記頭部データから、前記頭部画像に含まれる前記人間の肌の色情報を特定し、頭部を前記頭部データに対応する前記頭部画像とし、且つ着用した衣服によって被覆されていない頭部を除く人形の部分を、前記第二制御部で特定された色情報に対応する色とした人形の前記合成画像に対応する前記合成データを生成する、ようにしてもよい。【００１１】
この構成によれば、利用者に、新たにデザインされた衣服を実際に着用した自身の容姿の印象を、認識させることができる。【００１２】
衣服デザイン表示システムでは、前記第二制御部は、前記合成画像に対応する前記合成データとして、頭部が前記頭部データに対応する前記頭部画像とされていない人形の第一合成画像に対応する第一合成データと、頭部を前記頭部データに対応する前記頭部画像とした人形の第二合成画像に対応する第二合成データと、を生成し、前記出力部は、前記表示装置に、前記第二制御部で生成された前記第二合成データに対応する前記第二合成画像を出力し、前記第二通信部は、前記端末装置に、前記第二制御部で生成された前記第一合成データを送信し、前記第一通信部は、前記画像処理装置から送信された前記第一合成データを受信し、前記端末装置は、前記第一通信部で受信された前記第一合成データに対応する前記第一合成画像を表示する表示部を備える、ようにしてもよい。【００１３】
この構成によれば、端末装置の表示部に第一合成画像を表示し、表示装置に第二合成画像を表示することができる。端末装置の表示部に表示された利用者の頭部を含まない第一合成画像によって、利用者に、衣服自体の印象を認識させることができる。表示装置に表示された第二合成画像によって、利用者に、新たにデザインされた衣服を実際に着用した自身の容姿の印象を認識させることができる。【００１４】
衣服デザイン表示システムでは、前記第二通信部は、前記端末装置に、前記第二制御部で生成された前記合成データを送信し、前記第一通信部は、前記画像処理装置から送信された前記合成データを受信し、前記端末装置は、前記第一通信部で受信された前記合成データに対応する前記合成画像を表示する表示部を備える、ようにしてもよい。これによれば、表示装置と端末装置の表示部に、合成画像を表示することができる。【００１５】
本発明の他側面は、上述した何れか１つの衣服デザイン表示システムと、衣服を製造する衣服製造装置と、を含む衣服製造システムであって、前記衣服製造装置は、前記第二制御部で生成された前記合成データに対応する前記合成画像における衣服を製造する、衣服製造システムである。この衣服製造システムによれば、衣服デザイン表示システムで、新たにデザインされた衣服を製造することができる。利用者の要望に合った衣服を、この利用者に提供することができる。【００１６】
本発明の更に他の側面は、衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する制御部と、前記第一衣服情報に関連付けられた前記第一形状の衣服に対応する第一衣服データと、前記第二衣服情報に関連付けられた前記第二形状の衣服に対応する第二衣服データと、を記憶し、前記第一柄情報に関連付けられた前記第一柄に対応する第一柄データと、前記第二柄情報に関連付けられた前記第二柄に対応する第二柄データと、を記憶する記憶部と、合成画像を表示する表示装置に、合成データに対応する前記合成画像を出力する出力部と、を備え、前記制御部は、前記制御部で取得された前記衣服情報と前記柄情報とが、前記第一衣服情報と前記第一柄情報とである場合、前記第一衣服データと、前記第一柄データと、を合成し、前記第一柄の前記第一形状の衣服の合成画像に対応する合成データを生成し、前記制御部で取得された前記衣服情報と前記柄情報とが、前記第一衣服情報と前記第二柄情報とである場合、前記第一衣服データと、前記第二柄データと、を合成し、前記第二柄の前記第一形状の衣服の合成画像に対応する合成データを生成し、前記制御部で取得された前記衣服情報と前記柄情報とが、前記第二衣服情報と前記第一柄情報とである場合、前記第二衣服データと、前記第一柄データと、を合成し、前記第一柄の前記第二形状の衣服の合成画像に対応する合成データを生成し、前記制御部で取得された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成し、前記出力部は、前記表示装置に、前記制御部で生成された前記合成データに対応する前記合成画像を出力する、衣服デザイン出力システムである。【００１７】
本発明の更に他の側面は、衣服の形状に対応する衣服情報として、第一形状に対応する第一衣服情報と、前記第一形状とは異なる第二形状に対応する第二衣服情報と、の何れかを取得し、衣服の柄に対応する柄情報として、第一柄に対応する第一柄情報と、前記第一柄とは異なる第二柄に対応する第二柄情報と、の何れかを取得する取得工程と、前記取得工程で取得された前記衣服情報と前記柄情報とが、前記第一衣服情報と前記第一柄情報とである場合、前記第一衣服情報に関連付けられた前記第一形状の衣服に対応する第一衣服データと、前記第一柄情報に関連付けられた前記第一柄に対応する第一柄データと、を合成し、前記第一柄の前記第一形状の衣服の合成画像に対応する合成データを生成し、前記取得工程で取得された前記衣服情報と前記柄情報とが、前記第一衣服情報と前記第二柄情報とである場合、前記第一衣服データと、前記第二柄情報に関連付けられた前記第二柄に対応する第二柄データと、を合成し、前記第二柄の前記第一形状の衣服の合成画像に対応する合成データを生成し、前記取得工程で取得された前記衣服情報と前記柄情報とが、前記第二衣服情報と前記第一柄情報とである場合、前記第二衣服情報に関連付けられた前記第二形状の衣服に対応する第二衣服データと、前記第一柄データと、を合成し、前記第一柄の前記第二形状の衣服の合成画像に対応する合成データを生成し、前記取得工程で取得された前記衣服情報と前記柄情報とが、前記第二衣服情報と前記第二柄情報とである場合、前記第二衣服データと、前記第二柄データと、を合成し、前記第二柄の前記第二形状の衣服の合成画像に対応する合成データを生成する合成工程と、前記合成画像を表示する表示装置に、前記合成工程で生成された前記合成データに対応する前記合成画像を出力する出力工程と、を含む、衣服デザイン出力方法である。【００１８】
この衣服デザイン出力システム及び衣服デザイン出力方法によれば、取得された衣服情報と柄情報に応じた所定の柄の所定の形状の衣服の合成画像を、表示装置に表示することができる。表示装置を大型化することで、所定の柄の所定の形状の衣服を大きく表示することができる。所定の柄の所定の形状の衣服を大きく表示することで、合成画像上の衣服と実物の衣服の大きさが近似値となり、面積効果による知覚色の差異に起因する不具合が未然に解消される。
【発明の効果】
【００１９】
本発明によれば、カスタムメイドされる衣服について完成後の衣服から受ける印象に近い印象の合成画像を、デザイン段階において表示装置に表示することが可能な、衣服デザイン表示システムと衣服製造システムと衣服デザイン出力システムと衣服デザイン出力方法を得ることができる。
【図面の簡単な説明】
【００２０】
【図１】衣服デザイン表示システムと衣服製造システムの一例を示す図である。
【図２】受付処理の第一部分のフローチャートである。
【図３】受付処理の第二部分のフローチャートである。
【図４】受付処理の第三部分のフローチャートである。
【図５】体型選択画面の一例を示す図である。
【図６】衣服選択画面の一例を示す図である。
【図７】柄選択画面の一例を示す図である。
【図８】確認画面の一例を示す図である。表示対象が第一正面画像である状態を示す。
【図９】確認画面の一例を示す図である。表示対象が第一背面画像である状態を示す。
【図１０】確認画面の一例を示す図である。表示対象が第一側面画像である状態を示す。
【図１１】出力処理の第一部分のフローチャートである。
【図１２】出力処理の第二部分のフローチャートである。
【図１３】出力処理の第三部分のフローチャートである。
【図１４】衣服データと柄データを合成した中間データに対応する合成画像を示す図である。正面と背面と側面を示す。
【図１５】表示装置に第二正面画像が表示された状態の一例を示す図である。
【図１６】表示装置に第二背面画像が表示された状態の一例を示す図である。
【図１７】表示装置に第二側面画像が表示された状態の一例を示す図である。
【図１８】第一合成処理のフローチャートである。
【図１９】第二合成処理のフローチャートである。
【図２０】衣服デザイン表示システムと衣服製造システムの他の例を示す図である。
【発明を実施するための形態】
【００２１】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２２】
＜衣服デザイン表示システム＞
衣服デザイン表示システム１について、図１を参照して説明する。衣服デザイン表示システム１は、事業者において利用される。事業者は、顧客の要望に合った衣服をカスタムメイドして販売する者である。衣服デザイン表示システム１によれば、顧客の要望に合った衣服をデザインすることができる。衣服デザイン表示システム１では、顧客が、自身でデザインした衣服を着用した状態が表示される。顧客は、この衣服が実際に完成する前に、その衣服を着用した状態を視覚的に認識し、確認することができる。実施形態では、前述した事業者における顧客を「着用者」という。衣服デザイン表示システム１は、衣服製造システム８０に含まれる。衣服製造システム８０は、衣服デザイン表示システム１と、衣服製造装置８１を含む。衣服製造装置８１では、衣服が製造される。即ち、衣服製造システム８０では、顧客の要望に合った衣服がデザインされ、デザインされた衣服が製造される。
【００２３】
衣服デザイン表示システム１は、端末装置１０と、画像処理装置３０と、表示装置４０を含む。端末装置１０と画像処理装置３０は、データ通信可能に接続される。端末装置１０と画像処理装置３０の間では、所定のデータが通信される。実施形態では、端末装置１０と画像処理装置３０の間のデータ通信は、ネットワーク７０を介して行われる。ネットワーク７０には、アクセスポイント７１が設けられる。端末装置１０は、アクセスポイント７１に対して無線接続されている。画像処理装置３０は、ネットワーク７０に対して有線接続されている。実施形態では、このような接続形態を例に説明する。但し、端末装置１０のネットワーク７０への接続形態は、有線接続であってもよい。画像処理装置３０のネットワーク７０への接続形態は、アクセスポイント７１を介した無線接続であってもよい。
【００２４】
表示装置４０は、画像処理装置３０に接続される。更に、画像処理装置３０には、撮影装置５０と操作装置６０が接続される。実施形態では、画像処理装置３０と表示装置４０の接続形態と、画像処理装置３０と撮影装置５０の接続形態と、画像処理装置３０と操作装置６０の接続形態は、後述するような接続方式による有線接続とされる。但し、画像処理装置３０と、表示装置４０、撮影装置５０及び操作装置６０のうちの一部又は全部との接続形態は、無線接続であってもよい。
【００２５】
端末装置１０は、情報処理装置である。例えば、携帯型の情報処理装置が、端末装置１０として採用される。例えば、タブレット端末又はノート型のパーソナルコンピュータが、端末装置１０として採用される。実施形態では、端末装置１０は、タブレット端末である（後述する図５〜図１０参照）。端末装置１０は、衣服のデザインに対する着用者の要望を受け付ける。端末装置１０では、第一合成画像が表示される。端末装置１０に関するこの他の説明は、後述する。第一合成画像についても、後述する。
【００２６】
画像処理装置３０は、情報処理装置である。例えば、デスクトップ型のパーソナルコンピュータが、画像処理装置３０として採用される。画像処理装置３０は、所定の画像データを対象として合成処理を実行する情報処理装置である。この合成処理は、端末装置１０からの各情報に従い実行される（後述する図１１のＳ８５、図１８及び図１９参照）。画像処理装置３０では、合成処理によって、中間データが生成され、更に、第一合成データと第二合成データが生成される。第一合成データは、画像処理装置３０から端末装置１０に送信される。画像処理装置３０に関するこの他の説明は、後述する。中間データと第一合成データと第二合成データについても、後述する。
【００２７】
表示装置４０は、例えば、液晶ディスプレイである。但し、表示装置４０は、液晶とは異なる方式のディスプレイであってもよい。例えば、表示装置４０は、プロジェクターであってもよい。表示装置４０は、画像処理装置３０から出力された第二合成画像を表示する。第二合成画像については、後述する。表示装置４０の画面サイズは、表示装置４０の長手方向が鉛直方向となる状態で表示装置４０を設置した場合（後述する図１５〜図１７参照）、着用者の身長に対応する程度のサイズで、表示対象の第二合成画像を表示することができる大きさにするとよい。例えば、表示装置４０は、画面サイズが７０インチ程度であるディスプレイにするとよい。具体的な画面サイズについては、前述した点を考慮して適宜決定される。表示装置４０としては、公知のディスプレイを採用することができる。そのため、表示装置４０に関するこの他の説明は、省略する。
【００２８】
撮影装置５０は、カメラである。撮影装置５０は、着用者を撮影する。例えば、撮影装置５０は、着用者の正面と背面と側面を撮影する。実施形態では、撮影装置５０による撮影対象は、着用者の正面と、着用者の背面と、着用者の左右何れか一方の側面とする。着用者の左右何れか一方の側面を撮影対象とする場合、何れの側面を撮影対象とするかは、諸事情を考慮して適宜決定される。着用者の左右両側面を撮影対象とするようにしてもよい。実施形態では、着用者の右側面を撮影対象とする。撮影装置５０によって撮影された撮影画像に対応する撮影データは、後述するような接続方式に対応する信号ケーブルを介して、画像処理装置３０に入力される。実施形態では、撮影装置５０によって撮影された撮影画像は、静止画とする。従って、撮影データは、静止画の画像データである。撮影装置５０としては、公知のカメラを採用することができる。そのため、撮影装置５０に関するこの他の説明は、省略する。操作装置６０については、後述する。
【００２９】
端末装置１０と画像処理装置３０は、衣服デザイン表示システム１におけるサブシステムとしての衣服デザイン出力システム２を構成する。即ち、衣服デザイン表示システム１では、後述するように、端末装置１０と画像処理装置３０によって、顧客の要望に合った衣服がデザインされ、デザインされた衣服を含む画像（第二合成画像）が、表示装置４０に出力される。
【００３０】
＜端末装置＞
端末装置１０について、図１を参照して説明する。端末装置１０は、ＣＰＵ１１と、記憶装置１２と、ＲＡＭ１３と、操作部１４と、表示部１５と、通信部１６を備える。ＣＰＵ１１は、端末装置１０を制御する端末装置１０の制御部である。ＣＰＵ１１は、演算処理を実行し、端末装置１０を制御する。記憶装置１２は、例えば、フラッシュメモリである。但し、記憶装置１２は、フラッシュメモリとは異なる記憶媒体であってもよい。例えば、記憶装置１２は、ハードディスクであってもよい。記憶装置１２には、ＯＳ（Operating System）と、各種のプログラムが記憶される。記憶装置１２に記憶されるプログラムには、受付処理（図２〜図４参照）のプログラムが含まれる。受付処理については、後述する。
【００３１】
ＲＡＭ１３は、ＣＰＵ１１が記憶装置１２に記憶されたＯＳと各種のプログラムを実行する際の記憶領域となる。ＲＡＭ１３には、処理の実行途中に所定の情報及びデータが、所定の記憶領域に記憶される。端末装置１０では、制御部としてのＣＰＵ１１が、記憶装置１２に記憶されたＯＳと各種のプログラムを実行する。これに伴い、端末装置１０では、各種の処理が実行され、実行された処理に対応する機能が実現される。
【００３２】
操作部１４は、端末装置１０に入力される各種の指示を受け付ける。端末装置１０がタブレット端末である実施形態では、操作部１４は、公知のタブレット端末と同様、タッチパッドによって構成される。端末装置１０の操作者は、タッチパッドによる操作部１４に対して、タップ、ピンチ、フリック、スワイプ等の操作を行う。操作部１４では、各操作に応じた指示が受け付けられる。実施形態では、端末装置１０の操作者は、上述した事業者の店員及び着用者の一方又は両方である。操作部１４は、所定のハードキーを含むものであってもよい。更に、操作部１４は、キーボードと、マウスであってもよい。ＣＰＵ１１は、操作部１４で受け付けられた所定の指示を、操作部１４を介して取得する。
【００３３】
表示部１５は、所定の情報を表示する。例えば、表示部１５には、体型選択画面（図５参照）と、衣服選択画面（図６参照）と、柄選択画面（図７参照）と、確認画面（図８〜図１０参照）が表示される。図５〜図１０に示す各画面については、後述する。表示部１５は、例えば、液晶ディスプレイによって構成される。端末装置１０がタブレット端末である場合、タッチパッドによる操作部１４と表示部１５は一体とされ、タッチパネルを構成する。
【００３４】
通信部１６は、無線ＬＡＮの通信方式に対応するネットワークインターフェースである。通信部１６は、アクセスポイント７１との無線通信を介して、端末装置１０をネットワーク７０に接続する。通信部１６は、画像処理装置３０との間のデータ通信を実行する。端末装置１０では、所定の情報と指示が、通信部１６から画像処理装置３０に送信される。端末装置１０では、画像処理装置３０から送信された所定のデータが、通信部１６で受信される。
【００３５】
端末装置１０は、後述する受付処理（図２〜図４参照）のプログラムが記憶装置１２に記憶されている点が、公知の情報処理装置と相違する。但し、端末装置１０は、ハードウェア的には、公知の情報処理装置と同じ装置である。従って、説明は省略するが、端末装置１０は、上述した各部の他、公知の情報処理装置が備える構成を備える。
【００３６】
＜画像処理装置＞
画像処理装置３０について、図１を参照して説明する。画像処理装置３０は、ＣＰＵ３１と、記憶装置３２と、ＲＡＭ３３と、通信部３４と、出力部３５と、入力部３６を備える。ＣＰＵ３１は、画像処理装置３０を制御する画像処理装置３０の制御部である。ＣＰＵ３１は、演算処理を実行し、画像処理装置３０を制御する。記憶装置３２は、例えば、ハードディスク及びフラッシュメモリの一方又は両方である。記憶装置３２には、ＯＳと、各種のプログラムが記憶される。記憶装置３２に記憶されるプログラムには、出力処理（図１１〜図１３参照）のプログラムと、第一合成処理（図１８参照）のプログラムと、第二合成処理（図１９参照）のプログラムが含まれる。第二合成処理のプログラムは、人間の頭部を認識し抽出する画像解析のプログラムを含む。出力処理と第一合成処理と第二合成処理については、後述する。更に、記憶装置３２には、各種のデータが記憶される。記憶装置３２に記憶されるデータには、複数の人形データと、複数の衣服データと、複数の柄データが含まれる。
【００３７】
人形データは、所定の体型の人形に対応する画像データである。記憶装置３２には、異なる体型の人形に対応する人形データが複数記憶される。実施形態では、着用者の体型に対応する体型情報として、Ｌサイズと、Ｍサイズと、Ｓサイズの３種類を例に説明する。Ｌ，Ｍ，Ｓの各サイズの大小関係は、「Ｌサイズ＞Ｍサイズ＞Ｓサイズ」である。実施形態では、Ｌサイズに対応する体型情報を「体型情報Ｌ」という。Ｍサイズに対応する体型情報を「体型情報Ｍ」という。Ｓサイズに対応する体型情報を「体型情報Ｓ」という。体型情報Ｌ，Ｍ，Ｓを区別しない場合又はこれらを総称する場合、「体型情報」という。更に、記憶装置３２には、サイズ毎に、人形の正面に対応する人形データと、人形の背面に対応する人形データと、人形の側面に対応する人形データが記憶される。即ち、Ｌ，Ｍ，Ｓの各サイズに基づく実施形態では、合計９個の人形データが、記憶装置３２に記憶される。
【００３８】
Ｌサイズの人形データに関し、正面と背面と側面を区別しない場合又はこれらを総称する場合、「人形データＬ」という。人形データＬは、体型情報Ｌに関連付けられる。Ｍサイズの人形データに関し、正面と背面と側面を区別しない場合又はこれらを総称する場合、「人形データＭ」という。人形データＭは、体型情報Ｍに関連付けられる。Ｓサイズの人形データに関し、正面と背面と側面を区別しない場合又はこれらを総称する場合、「人形データＳ」という。人形データＳは、体型情報Ｓに関連付けられる。正面と背面と側面及び人形データＬ，Ｍ，Ｓを区別しない場合又はこれらを総称する場合、「人形データ」という。Ｌ，Ｍ，Ｓの各サイズの人形データで正面と背面と側面を区別する場合、例えば、人形データＭを例とすると、「正面の人形データＭ」、「背面の人形データＭ」及び「側面の人形データＭ」という。
【００３９】
実施形態では、人形データＬに対応する人形と人形データＭに対応する人形と人形データＳに対応する人形は、水平方向（後述する図５参照）のサイズが相違する。前述の各人形では、水平方向に直交する方向（後述する図５の「鉛直方向」参照）のサイズは、同一とされている。即ち、人形データＬは、身長が第一値で、且つ所定の位置の幅方向のサイズが第一幅である人形に対応する画像データである。第一値は、例えば、１４０ｃｍ〜１７５ｃｍの範囲内の所定の値である。人形データＭは、例えば、身長が第一値で、且つ前述と同じ位置の幅方向のサイズが第二幅である人形に対応する画像データである。第二幅は、第一幅より小さい幅方向のサイズである（第二幅＜第一幅）。人形データＳは、例えば、身長が第一値で、且つ前述と同じ位置の幅方向のサイズが第三幅である人形に対応する画像データである。第三幅は、第二幅より小さい幅方向のサイズである（第三幅＜第二幅）。人形データＬ，Ｍ，Ｓにおいて、各データに対応する人形の身長は、異なるサイズとするようにしてもよい。例えば、人形データＬは、身長が最も高い人形に対応し、人形データＭは、身長がＬサイズより低い人形に対応し、人形データＳは、身長がＭサイズより低い人形に対応するようにしてもよい。
【００４０】
衣服データは、所定の形状の衣服に対応する画像データである。記憶装置３２には、異なる形状の衣服に対応する衣服データが複数記憶される。衣服の形状としては、ノースリーブと、ショートスリーブと、カットソーと、シャツと、ブラウスと、ワンピースと、カーディガンと、ベストと、ジャケットと、コートと、スカートと、パンツが例示される。更に、衣服の形状は、同一種の衣服を細分化し、細分化されたその衣服の各形状を含む。例えば、それぞれ異なる形状のワンピースは、ワンピースの中で、別形状の衣服（ワンピース）とされる。実施形態では、衣服の形状として、後述する図６に示すような、５種類の形状の衣服（ワンピース）を例に説明する。更に、記憶装置３２には、衣服の形状毎に、衣服の正面に対応する衣服データと、衣服の背面に対応する衣服データと、衣服の側面に対応する衣服データが記憶される。即ち、５種類の各形状に基づく実施形態では、合計１５個の衣服データが、記憶装置３２に記憶される。
【００４１】
各形状の衣服（ワンピース）に対応する衣服データのそれぞれに関し、正面と背面と側面を区別しない場合又はこれらを総称する場合、「衣服データＡ１」、「衣服データＡ２」、「衣服データＡ３」、「衣服データＡ４」及び「衣服データＡ５」という。衣服データＡ１は、衣服情報Ａ１に関連付けられる。衣服データＡ２は、衣服情報Ａ２に関連付けられる。衣服データＡ３は、衣服情報Ａ３に関連付けられる。衣服データＡ４は、衣服情報Ａ４に関連付けられる。衣服データＡ５は、衣服情報Ａ５に関連付けられる。衣服情報は、形状の異なる衣服を識別する情報である。正面と背面と側面及び衣服データＡ１，Ａ２，Ａ３，Ａ４，Ａ５を区別しない場合又はこれらを総称する場合、「衣服データ」という。各形状の衣服データで正面と背面と側面を区別する場合、例えば、衣服データＡ３を例とすると、「正面の衣服データＡ３」、「背面の衣服データＡ３」及び「側面の衣服データＡ３」という。衣服情報Ａ１，Ａ２，Ａ３，Ａ４，Ａ５を区別しない場合又はこれらを総称する場合、「衣服情報」という。
【００４２】
柄データは、所定の柄に対応する画像データである。記憶装置３２には、異なる柄に対応する柄データが複数記憶される。柄は、例えば、色彩と模様によって定義することができる。この場合、前述した異なる柄は、色彩と模様の何れか一方が異なることを意味する。無地は、１つの模様である。実施形態では、衣服の柄として、後述する図７に示すような、６種類の柄を例に説明する。各柄に対応する柄データのそれぞれを、「柄データＢ１」、「柄データＢ２」、「柄データＢ３」、「柄データＢ４」、「柄データＢ５」及び「柄データＢ６」という。柄データＢ１は、柄情報Ｂ１に関連付けられる。柄データＢ２は、柄情報Ｂ２に関連付けられる。柄データＢ３は、柄情報Ｂ３に関連付けられる。柄データＢ４は、柄情報Ｂ４に関連付けられる。柄データＢ５は、柄情報Ｂ５に関連付けられる。柄データＢ６は、柄情報Ｂ６に関連付けられる。柄情報は、衣服の柄を識別する情報である。柄データＢ１，Ｂ２，Ｂ３，Ｂ４，Ｂ５，Ｂ６を区別しない場合又はこれらを総称する場合、「柄データ」という。柄情報Ｂ１，Ｂ２，Ｂ３，Ｂ４，Ｂ５，Ｂ６を区別しない場合又はこれらを総称する場合、「柄情報」という。
【００４３】
ＲＡＭ３３は、ＣＰＵ３１が記憶装置３２に記憶されたＯＳと各種のプログラムを実行する際の記憶領域となる。ＲＡＭ３３には、処理の実行途中に所定の情報及びデータが、所定の記憶領域に記憶される。複数の人形データと複数の衣服データと複数の柄データは、ＲＡＭ３３に記憶されていてもよい。但し、実施形態では、複数の人形データと複数の衣服データと複数の柄データは、上述した通り、記憶装置３２に記憶されている。画像処理装置３０では、制御部としてのＣＰＵ３１が、記憶装置３２に記憶されたＯＳと各種のプログラムを実行する。これに伴い、画像処理装置３０では、各種の処理が実行され、実行された処理に対応する機能が実現される。
【００４４】
通信部３４は、有線ＬＡＮの通信方式に対応するネットワークインターフェースである。通信部３４は、画像処理装置３０を、ネットワーク７０に接続する。通信部３４は、端末装置１０との間のデータ通信を実行する。画像処理装置３０では、端末装置１０から送信された所定の情報と指示が、通信部３４で受信される。画像処理装置３０では、所定のデータが、通信部３４から端末装置１０に送信される。
【００４５】
出力部３５と入力部３６は、所定の外部装置を画像処理装置３０に接続する接続インターフェースである。出力部３５には、表示装置４０が接続される。入力部３６には、撮影装置５０と操作装置６０が接続される。画像処理装置３０では、表示装置４０に表示させる画像が、出力部３５から表示装置４０に出力される。撮影装置５０からの撮影データは、入力部３６に入力される。入力部３６に接続される操作装置６０は、画像処理装置３０に入力される各種の指示を受け付ける。操作装置６０は、公知のキーボードと、公知のマウスを含む。出力部３５と入力部３６は、例えば、ＨＤＭＩ（登録商標）（High-Definition Multimedia Interface）及びＵＳＢ（Universal Serial Bus）の一方又は両方の接続方式に対応する接続インターフェースである。出力部３５と入力部３６がＨＤＭＩ（登録商標）及びＵＳＢの両方に対応する場合、出力部３５と入力部３６は、ＨＤＭＩ（登録商標）に対応する接続インターフェースと、ＵＳＢに対応する接続インターフェースを含む。画像処理装置３０と表示装置４０、撮影装置５０及び操作装置６０の各接続は、異なる接続方式であってもよい。例えば、画像処理装置３０と表示装置４０及び撮影装置５０の各接続をＨＤＭＩ（登録商標）による接続方式とし、画像処理装置３０と操作装置６０の接続をＵＳＢによる接続方式とするようにしてもよい。画像処理装置３０と表示装置４０、撮影装置５０及び操作装置６０の各接続に関し、前述した接続方式は、例示である。例えば、画像処理装置３０と撮影装置５０の接続は、ＵＳＢによる接続方式としてもよい。画像処理装置３０と表示装置４０の接続を無線接続とする場合、出力部３５は、無線接続用の所定のインターフェースを含む。画像処理装置３０と撮影装置５０及び操作装置６０の接続、又は画像処理装置３０と撮影装置５０又は操作装置６０の接続を無線接続とする場合、入力部３６は、無線接続用の所定のインターフェースを含む。
【００４６】
画像処理装置３０は、後述する出力処理（図１１〜図１３参照）のプログラムと第一合成処理（図１８参照）のプログラムと第二合成処理（図１９参照）のプログラムが、記憶装置３２に記憶されている点が、公知の情報処理装置と相違する。但し、画像処理装置３０は、ハードウェア的には、公知の情報処理装置と同じ装置である。従って、説明は省略するが、画像処理装置３０は、上述した各部の他、公知の情報処理装置が備える構成を備える。
【００４７】
＜受付処理＞
端末装置１０で実行される受付処理について、図２〜図１０を参照して説明する。図５〜図１０に示す端末装置１０に関し、図５〜図１０を正面視した状態を基準として、図５〜図１０に示す「水平方向」に直交する方向を、説明の便宜上、「鉛直方向」という。例えば、上述した事業者の店員は、受付処理の開始指示を端末装置１０に入力する。入力された開始指示は、操作部１４で受け付けられる。ＣＰＵ１１は、操作部１４を介して開始指示を取得する。開始指示の取得に応じて、ＣＰＵ１１は、記憶装置１２に記憶された受付処理のプログラムを起動する。これに伴い、受付処理が開始される。受付処理を開始させたＣＰＵ１１は、体型選択画面の表示を制御する（Ｓ１１）。ＣＰＵ１１は、体型選択画面の表示指令を表示部１５に出力する。これに伴い、表示部１５では、体型選択画面が表示される（図５参照）。続けて、ＣＰＵ１１は、体型情報が取得されたか否かを判断する（Ｓ１３）。体型情報が取得されていない場合（Ｓ１３：Ｎｏ）、ＣＰＵ１１は、この判断を繰り返して実行する。
【００４８】
体型選択画面は、着用者の体型を選択する画面である。実施形態は、Ｌ，Ｍ，Ｓの各サイズに基づく。従って、体型選択画面は、図５に示すように、人形画像Ｌ，Ｍ，Ｓを選択肢として含む。体型選択画面に含まれる人形画像Ｌ，Ｍ，Ｓは、次のようにして体型選択画面に含められる。即ち、Ｓ１１でＣＰＵ１１は、上述した表示の制御に際し、要求指示の送信指令を通信部１６に出力する。このタイミングで送信される要求指示は、画像処理装置３０に対して、人形画像Ｌに対応する画像データと人形画像Ｍに対応する画像データと人形画像Ｓに対応する画像データの送信を要求する指示である。これに伴い、要求指示が、通信部１６から画像処理装置３０に送信される。画像処理装置３０では、要求指示が通信部３４で受信される。画像処理装置３０では、人形画像Ｌ，Ｍ，Ｓに対応する各画像データが、通信部３４から端末装置１０に送信される。端末装置１０では、人形画像Ｌ，Ｍ，Ｓに対応する各画像データが、通信部１６で受信される。ＣＰＵ１１は、通信部１６を介して人形画像Ｌ，Ｍ，Ｓに対応する各画像データを取得する。続けて、ＣＰＵ１１は、前述の各画像データから人形画像Ｌ，Ｍ，Ｓを取得し、人形画像Ｌ，Ｍ，Ｓを体型選択画面に含める。但し、人形画像Ｌ，Ｍ，Ｓに対応する各画像データは、受付処理のプログラムに関連付けて、記憶装置１２に記憶されていてもよい。この場合、ＣＰＵ１１は、人形画像Ｌ，Ｍ，Ｓに対応する各画像データを、記憶装置１２から取得する。
【００４９】
実施形態では、人形画像Ｌ，Ｍ，Ｓは、人形の正面とされている。人形画像Ｌは、正面の人形データＬに対応する縮小画像である。縮小画像としては、サムネイル画像が例示される。人形画像Ｌは、体型情報Ｌに関連付けられる。人形画像Ｍは、正面の人形データＭに対応する縮小画像である。人形画像Ｍは、体型情報Ｍに関連付けられる。人形画像Ｓは、正面の人形データＳに対応する縮小画像である。人形画像Ｓは、体型情報Ｓに関連付けられる。人形画像Ｌ，Ｍ，Ｓを区別しない場合又はこれらを総称する場合、「人形画像」という。
【００５０】
人形画像の選択は、例えば、選択する人形画像の上で、操作部１４に対してタップ操作を行うことでなされる。店員又は着用者は、着用者の体型に合った、又は最も近い体型の人形画像の上で、操作部１４に対してタップ操作を行う。人形画像を選択するタップ操作が操作部１４で受け付けられた場合、ＣＰＵ１１は、選択対象となった人形画像に関連付けられた体型情報を取得する。例えば、操作部１４に対してタップ操作が、人形画像Ｍの上で行われたとする。この場合、ＣＰＵ１１は、人形画像Ｍに関連付けられた体型情報Ｍを取得する。体型情報が取得された場合（Ｓ１３：Ｙｅｓ）、ＣＰＵ１１は、取得された体型情報の送信を制御する（Ｓ１５）。ＣＰＵ１１は、体型情報の送信指令を通信部１６に出力する。これに伴い、体型情報が、通信部１６から画像処理装置３０に送信される。
【００５１】
Ｓ１５を実行した後、ＣＰＵ１１は、衣服選択画面の表示を制御する（Ｓ１７）。ＣＰＵ１１は、衣服選択画面の表示指令を表示部１５に出力する。これに伴い、表示部１５では、衣服選択画面が表示される（図６参照）。続けて、ＣＰＵ１１は、衣服情報が取得されたか否かを判断する（Ｓ１９）。衣服情報が取得されていない場合（Ｓ１９：Ｎｏ）、ＣＰＵ１１は、この判断を繰り返して実行する。
【００５２】
衣服選択画面は、着用者が購入しようとする衣服の形状を選択する画面である。実施形態は、５種類の形状の衣服に基づく。従って、衣服選択画面は、図６に示すように、衣服画像Ａ１，Ａ２，Ａ３，Ａ４，Ａ５を選択肢として含む。衣服選択画面に含まれる衣服画像Ａ１，Ａ２，Ａ３，Ａ４，Ａ５は、次のようにして衣服選択画面に含められる。即ち、Ｓ１７でＣＰＵ１１は、上述した表示の制御に際し、要求指示の送信指令を通信部１６に出力する。このタイミングで送信される要求指示は、画像処理装置３０に対して、衣服画像Ａ１に対応する画像データと衣服画像Ａ２に対応する画像データと衣服画像Ａ３に対応する画像データと衣服画像Ａ４に対応する画像データと衣服画像Ａ５に対応する画像データの送信を要求する指示である。これに伴い、要求指示が、通信部１６から画像処理装置３０に送信される。画像処理装置３０では、要求指示が通信部３４で受信される。画像処理装置３０では、衣服画像Ａ１，Ａ２，Ａ３，Ａ４，Ａ５に対応する各画像データが、通信部３４から端末装置１０に送信される。端末装置１０では、衣服画像Ａ１，Ａ２，Ａ３，Ａ４，Ａ５に対応する各画像データが、通信部１６で受信される。ＣＰＵ１１は、通信部１６を介して衣服画像Ａ１，Ａ２，Ａ３，Ａ４，Ａ５に対応する各画像データを取得する。続けて、ＣＰＵ１１は、前述の各画像データから衣服画像Ａ１，Ａ２，Ａ３，Ａ４，Ａ５を取得し、衣服画像Ａ１，Ａ２，Ａ３，Ａ４，Ａ５を衣服選択画面に含める。但し、衣服画像Ａ１，Ａ２，Ａ３，Ａ４，Ａ５に対応する各画像データは、受付処理のプログラムに関連付けて、記憶装置１２に記憶されていてもよい。この場合、ＣＰＵ１１は、衣服画像Ａ１，Ａ２，Ａ３，Ａ４，Ａ５に対応する各画像データを、記憶装置１２から取得する。
【００５３】
実施形態では、衣服画像Ａ１，Ａ２，Ａ３，Ａ４，Ａ５は、衣服の正面とされている。衣服画像Ａ１は、衣服データＡ１に対応する縮小画像である。衣服画像Ａ１は、衣服情報Ａ１に関連付けられる。衣服画像Ａ２は、衣服データＡ２に対応する縮小画像である。衣服画像Ａ２は、衣服情報Ａ２に関連付けられる。衣服画像Ａ３は、衣服データＡ３に対応する縮小画像である。衣服画像Ａ３は、衣服情報Ａ３に関連付けられる。衣服画像Ａ４は、衣服データＡ４に対応する縮小画像である。衣服画像Ａ４は、衣服情報Ａ４に関連付けられる。衣服画像Ａ５は、衣服データＡ５に対応する縮小画像である。衣服画像Ａ５は、衣服情報Ａ５に関連付けられる。衣服画像Ａ１，Ａ２，Ａ３，Ａ４，Ａ５を区別しない場合又はこれらを総称する場合、「衣服画像」という。
【００５４】
衣服画像の選択は、例えば、選択する衣服画像の上で、操作部１４に対してタップ操作を行うことでなされる。店員又は着用者は、着用者が購入しようとする形状の衣服の衣服画像の上で、操作部１４に対してタップ操作を行う。衣服選択画面は、戻るボタン１８を含む（図６参照）。戻るボタン１８は、現在、表示部１５に表示されている画面を、この画面より前に表示されていた画面とする移動指示に対応付けられている。衣服選択画面の表示中に、戻るボタン１８の上で、操作部１４に対してタップ操作が行われ、このタップ操作が操作部１４で受け付けられたとする。この場合、ＣＰＵ１１は、処理をＳ１１に戻す。図２では、このような、戻るボタン１８を介した処理手順の図示は、省略されている。
【００５５】
衣服画像を選択するタップ操作が操作部１４で受け付けられた場合、ＣＰＵ１１は、選択対象となった衣服画像に関連付けられた衣服情報を取得する。例えば、操作部１４に対してタップ操作が、衣服画像Ａ３の上で行われたとする。この場合、ＣＰＵ１１は、衣服画像Ａ３に関連付けられた衣服情報Ａ３を取得する。衣服情報が取得された場合（Ｓ１９：Ｙｅｓ）、ＣＰＵ１１は、取得された衣服情報の送信を制御する（Ｓ２１）。ＣＰＵ１１は、衣服情報の送信指令を通信部１６に出力する。これに伴い、衣服情報が、通信部１６から画像処理装置３０に送信される。
【００５６】
Ｓ２１を実行した後、ＣＰＵ１１は、柄選択画面の表示を制御する（Ｓ２３）。ＣＰＵ１１は、柄選択画面の表示指令を表示部１５に出力する。これに伴い、表示部１５では、柄選択画面が表示される（図７参照）。続けて、ＣＰＵ１１は、柄情報が取得されたか否かを判断する（Ｓ２５）。柄情報が取得されていない場合（Ｓ２５：Ｎｏ）、ＣＰＵ１１は、この判断を繰り返して実行する。
【００５７】
柄選択画面は、着用者が購入しようとする衣服の柄を選択する画面である。実施形態は、６種類の柄に基づく。従って、柄選択画面は、図７に示すように、柄画像Ｂ１，Ｂ２，Ｂ３，Ｂ４，Ｂ５，Ｂ６を選択肢として含む。柄選択画面に含まれる柄画像Ｂ１，Ｂ２，Ｂ３，Ｂ４，Ｂ５，Ｂ６は、次のようにして柄選択画面に含められる。即ち、Ｓ２３でＣＰＵ１１は、上述した表示の制御に際し、要求指示の送信指令を通信部１６に出力する。このタイミングで送信される要求指示は、画像処理装置３０に対して、柄画像Ｂ１に対応する画像データと柄画像Ｂ２に対応する画像データと柄画像Ｂ３に対応する画像データと柄画像Ｂ４に対応する画像データと柄画像Ｂ５に対応する画像データと柄画像Ｂ６に対応する画像データの送信を要求する指示である。これに伴い、要求指示が、通信部１６から画像処理装置３０に送信される。画像処理装置３０では、要求指示が通信部３４で受信される。画像処理装置３０では、柄画像Ｂ１，Ｂ２，Ｂ３，Ｂ４，Ｂ５，Ｂ６に対応する各画像データが、通信部３４から端末装置１０に送信される。端末装置１０では、柄画像Ｂ１，Ｂ２，Ｂ３，Ｂ４，Ｂ５，Ｂ６に対応する各画像データが、通信部１６で受信される。ＣＰＵ１１は、通信部１６を介して柄画像Ｂ１，Ｂ２，Ｂ３，Ｂ４，Ｂ５，Ｂ６に対応する各画像データを取得する。続けて、ＣＰＵ１１は、前述の各画像データから柄画像Ｂ１，Ｂ２，Ｂ３，Ｂ４，Ｂ５，Ｂ６を取得し、柄画像Ｂ１，Ｂ２，Ｂ３，Ｂ４，Ｂ５，Ｂ６を柄選択画面に含める。但し、柄画像Ｂ１，Ｂ２，Ｂ３，Ｂ４，Ｂ５，Ｂ６に対応する各画像データは、受付処理のプログラムに関連付けて、記憶装置１２に記憶されていてもよい。この場合、ＣＰＵ１１は、柄画像Ｂ１，Ｂ２，Ｂ３，Ｂ４，Ｂ５，Ｂ６に対応する各画像データを、記憶装置１２から取得する。
【００５８】
柄画像Ｂ１は、柄データＢ１に対応する縮小画像である。柄画像Ｂ１は、柄情報Ｂ１に関連付けられる。柄画像Ｂ２は、柄データＢ２に対応する縮小画像である。柄画像Ｂ２は、柄情報Ｂ２に関連付けられる。柄画像Ｂ３は、柄データＢ３に対応する縮小画像である。柄画像Ｂ３は、柄情報Ｂ３に関連付けられる。柄画像Ｂ４は、柄データＢ４に対応する縮小画像である。柄画像Ｂ４は、柄情報Ｂ４に関連付けられる。柄画像Ｂ５は、柄データＢ５に対応する縮小画像である。柄画像Ｂ５は、柄情報Ｂ５に関連付けられる。柄画像Ｂ６は、柄データＢ６に対応する縮小画像である。柄画像Ｂ６は、柄情報Ｂ６に関連付けられる。柄画像Ｂ１，Ｂ２，Ｂ３，Ｂ４，Ｂ５，Ｂ６を区別しない場合又はこれらを総称する場合、「柄画像」という。
【００５９】
柄画像の選択は、例えば、選択する柄画像の上で、操作部１４に対してタップ操作を行うことでなされる。図７に示す柄画像Ｂ３，Ｂ６のように、一部が隠れた状態で表示されている柄画像を表示させる場合、店員又は着用者は、表示部１５の画面上の所定の位置で、操作部１４に対して、水平方向にフリック操作又はスワイプ操作を行う。このような操作は、非表示とされている柄画像がある場合についても同様に行われる。移動方向は、鉛直方向であってもよい。実施形態とは異なり、人形画像と衣服画像についても、一部が隠れた状態で表示されている画像又は非表示とされている画像を表示させる場合、前述した操作が行われる。
【００６０】
店員又は着用者は、着用者が気に入った柄の柄画像の上で、操作部１４に対してタップ操作を行う。柄選択画面は、戻るボタン１８を含む（図７参照）。柄選択画面の表示中に、戻るボタン１８の上で、操作部１４に対してタップ操作が行われ、このタップ操作が操作部１４で受け付けられたとする。この場合、ＣＰＵ１１は、処理をＳ１１又はＳ１７に戻す。戻り先をＳ１１又はＳ１７の何れとするかは、諸事情を考慮して適宜決定される。図２では、このような、戻るボタン１８を介した処理手順の図示は、省略されている。
【００６１】
柄画像を選択するタップ操作が操作部１４で受け付けられた場合、ＣＰＵ１１は、選択対象となった柄画像に関連付けられた柄情報を取得する。例えば、操作部１４に対してタップ操作が、柄画像Ｂ１の上で行われたとする。この場合、ＣＰＵ１１は、柄画像Ｂ１に関連付けられた柄情報Ｂ１を取得する。柄情報が取得された場合（Ｓ２５：Ｙｅｓ）、ＣＰＵ１１は、取得された柄情報の送信を制御する（Ｓ２７）。ＣＰＵ１１は、柄情報の送信指令を通信部１６に出力する。これに伴い、柄情報が、通信部１６から画像処理装置３０に送信される。
【００６２】
Ｓ２７を実行した後、ＣＰＵ１１は、第一合成データが取得されたか否かを判断する（Ｓ２９）。Ｓ２９で取得される第一合成データは、後述する図１８のＳ１２３で、画像処理装置３０から送信される。第一合成データは、通信部１６で受信される。ＣＰＵ１１は、通信部１６を介して第一合成データを取得する。取得された第一合成データは、ＲＡＭ１３に記憶される。Ｓ２９で取得される第一合成データは、第一正面データと、第一背面データと、第一側面データである。実施形態において、第一合成データは、第一正面データと第一背面データと第一側面データを区別しない場合又はこれらを総称する場合に用いる合成データの名称である。第一正面データは、第一正面画像に対応する合成画像である。第一背面データは、第一背面画像に対応する合成画像である。第一側面データは、第一側面画像に対応する合成画像である。
【００６３】
第一正面画像は、次に示す、柄の衣服を着用した人形の正面に対応する合成画像である。第一背面画像は、次に示す、柄の衣服を着用した人形の背面に対応する合成画像である。第一側面画像は、次に示す、柄の衣服を着用した人形の側面に対応する合成画像である。人形の側面は、撮影装置５０によって撮影される着用者の側面と同じ側の側面である。実施形態では、撮影装置５０による撮影対象は、着用者の右側面とされている。従って、第一側面画像は、人形の右側面に対応する合成画像となる。前述の柄は、Ｓ２７で送信された柄情報に関連付けられた柄データに対応する柄である。前述の衣服は、Ｓ２１で送信された衣服情報に関連付けられた衣服データに対応する所定の形状の衣服である。前述の人形は、Ｓ１５で送信された衣服情報に関連付けられた人形データに対応する所定の体型の人形である。実施形態では、第一正面画像と第一背面画像と第一側面画像を区別しない場合又はこれらを総称する場合、「第一合成画像」という。第一合成データは、第一合成画像に対応する合成データということもできる。Ｓ２９を実行した後、ＣＰＵ１１は、処理を図３のＳ３１に移行する。
【００６４】
Ｓ３１でＣＰＵ１１は、確認画面の表示を制御する。確認画面の表示において、初期の表示対象は、第一正面画像とされる。即ち、ＣＰＵ１１は、表示領域Ｒに第一正面画像を含む確認画面の表示を制御する。ＣＰＵ１１は、ＲＡＭ１３に記憶された第一正面データから第一正面画像を生成し、これを含む確認画面の表示指令を表示部１５に出力する。これに伴い、表示部１５では、前述の確認画面が表示される（図８参照）。
【００６５】
確認画面は、表示領域Ｒの他、正面ボタン１９と、背面ボタン２０と、側面ボタン２１と、再選択ボタン２２と、確定ボタン２３と、終了ボタン２４を含む。正面ボタン１９は、表示領域Ｒに表示されている第一背面画像又は第一側面画像を、第一正面画像に切り替える正面切替指示に対応付けられている。背面ボタン２０は、表示領域Ｒに表示されている第一正面画像又は第一側面画像を、第一背面画像に切り替える背面切替指示に対応付けられている。側面ボタン２１は、表示領域Ｒに表示されている第一正面画像又は第一背面画像を、第一側面画像に切り替える側面切替指示に対応付けられている。正面ボタン１９と背面ボタン２０と側面ボタン２１について、表示中の第一合成画像への切り替えに対応付けられたボタンは、非表示又はグレーアウトとし、タップ操作の対象とならない状態とするようにしてもよい。例えば、第一正面画像が表示領域Ｒに表示されている場合、正面ボタン１９は、グレーアウトとされる。図８において、正面ボタン１９の内部に付した網点模様は、正面ボタン１９がグレーアウト状態であることを示す。
【００６６】
再選択ボタン２２は、衣服の形状と柄を再選択する再選択指示に対応付けられている。確定ボタン２３は、画像処理装置３０に送信された各情報（図２のＳ１５、Ｓ２１及びＳ２７参照）に応じた衣服のデザインを確定させる確定指示に対応付けられている。衣服デザイン表示システム１では、確定指示は、衣服の購入指示として設定することもできる。終了ボタン２４は、受付処理を終了させる終了指示に対応付けられている。
【００６７】
正面ボタン１９の上で、操作部１４に対してタップ操作が行われ、このタップ操作が操作部１４で受け付けられたとする。この場合、ＣＰＵ１１は、正面切替指示を取得する。背面ボタン２０の上で、操作部１４に対してタップ操作が行われ、このタップ操作が操作部１４で受け付けられたとする。この場合、ＣＰＵ１１は、背面切替指示を取得する。側面ボタン２１の上で、操作部１４に対してタップ操作が行われ、このタップ操作が操作部１４で受け付けられたとする。この場合、ＣＰＵ１１は、側面切替指示を取得する。再選択ボタン２２の上で、操作部１４に対してタップ操作が行われ、このタップ操作が操作部１４で受け付けられたとする。この場合、ＣＰＵ１１は、再選択指示を取得する。確定ボタン２３の上で、操作部１４に対してタップ操作が行われ、このタップ操作が操作部１４で受け付けられたとする。この場合、ＣＰＵ１１は、確定指示を取得する。終了ボタン２４の上で、操作部１４に対してタップ操作が行われ、このタップ操作が操作部１４で受け付けられたとする。この場合、ＣＰＵ１１は、終了指示を取得する。
【００６８】
Ｓ３１を実行した後、ＣＰＵ１１は、正面切替指示が取得されたか否かを判断する（Ｓ３３）。図８に示すように、第一正面画像が表示領域Ｒに表示されているとする。この場合、正面ボタン１９はグレーアウトされている。そのため、少なくとも、正面切替指示が取得されることはない。例えば、Ｓ３３がＳ３１の直後に実行されている場合、Ｓ３１は、肯定（Ｓ３１：Ｙｅｓ）されずに否定（Ｓ３１：Ｎｏ）される。
【００６９】
正面切替指示が取得された場合（Ｓ３３：Ｙｅｓ）、ＣＰＵ１１は、正面切替指示の送信を制御する（Ｓ３５）。ＣＰＵ１１は、正面切替指示の送信指令を通信部１６に出力する。これに伴い、正面切替指示が、通信部１６から画像処理装置３０に送信される。続けて、ＣＰＵ１１は、第一正面画像の表示を制御する（Ｓ３７）。ＣＰＵ１１は、ＲＡＭ１３に記憶された第一正面データから第一正面画像を生成する。続けて、ＣＰＵ１１は、確認画面の表示領域Ｒの表示を第一正面画像へと切り替える表示指令を表示部１５に出力する。これに伴い、表示部１５では、第一正面画像が表示領域Ｒに表示される（図８参照）。正面ボタン１９は、上述した通り、グレーアウトされる。Ｓ３７を実行した後、ＣＰＵ１１は、処理をＳ３３に戻す。その後、ＣＰＵ１１は、Ｓ３３以降の処理を繰り返して実行する。
【００７０】
正面切替指示が取得されていない場合（Ｓ３３：Ｎｏ）、ＣＰＵ１１は、背面切替指示が取得されたか否かを判断する（Ｓ３９）。図９に示すように、第一背面画像が表示領域Ｒに表示されているとする。この場合、背面ボタン２０はグレーアウトされている。そのため、少なくとも、背面切替指示が取得されることはない。図９において、背面ボタン２０の内部に付した網点模様は、背面ボタン２０がグレーアウト状態であることを示す。
【００７１】
背面切替指示が取得された場合（Ｓ３９：Ｙｅｓ）、ＣＰＵ１１は、背面切替指示の送信を制御する（Ｓ４１）。ＣＰＵ１１は、背面切替指示の送信指令を通信部１６に出力する。これに伴い、背面切替指示が、通信部１６から画像処理装置３０に送信される。続けて、ＣＰＵ１１は、第一背面画像の表示を制御する（Ｓ４３）。ＣＰＵ１１は、ＲＡＭ１３に記憶された第一背面データから第一背面画像を生成する。続けて、ＣＰＵ１１は、確認画面の表示領域Ｒの表示を第一背面画像へと切り替える表示指令を表示部１５に出力する。これに伴い、表示部１５では、第一背面画像が表示領域Ｒに表示される（図９参照）。背面ボタン２０は、グレーアウトされる。Ｓ４３を実行した後、ＣＰＵ１１は、処理をＳ３３に戻す。その後、ＣＰＵ１１は、Ｓ３３以降の処理を繰り返して実行する。
【００７２】
背面切替指示が取得されていない場合（Ｓ３９：Ｎｏ）、ＣＰＵ１１は、側面切替指示が取得されたか否かを判断する（Ｓ４５）。図１０に示すように、第一側面画像が表示領域Ｒに表示されているとする。この場合、側面ボタン２１はグレーアウトされている。そのため、少なくとも、側面切替指示が取得されることはない。図１０において、側面ボタン２１の内部に付した網点模様は、側面ボタン２１がグレーアウト状態であることを示す。
【００７３】
側面切替指示が取得された場合（Ｓ４５：Ｙｅｓ）、ＣＰＵ１１は、側面切替指示の送信を制御する（Ｓ４７）。ＣＰＵ１１は、側面切替指示の送信指令を通信部１６に出力する。これに伴い、側面切替指示が、通信部１６から画像処理装置３０に送信される。続けて、ＣＰＵ１１は、第一側面画像の表示を制御する（Ｓ４９）。ＣＰＵ１１は、ＲＡＭ１３に記憶された第一側面データから第一側面画像を生成する。続けて、ＣＰＵ１１は、確認画面の表示領域Ｒの表示を第一側面画像へと切り替える表示指令を表示部１５に出力する。これに伴い、表示部１５では、第一側面画像が表示領域Ｒに表示される（図１０参照）。側面ボタン２１は、グレーアウトされる。Ｓ４９を実行した後、ＣＰＵ１１は、処理をＳ３３に戻す。その後、ＣＰＵ１１は、Ｓ３３以降の処理を繰り返して実行する。
【００７４】
側面切替指示が取得されていない場合（Ｓ４５：Ｎｏ）、ＣＰＵ１１は、処理を図４のＳ５１に移行する。Ｓ５１でＣＰＵ１１は、再選択指示が取得されたか否かを判断する。再選択指示が取得された場合（Ｓ５１：Ｙｅｓ）、ＣＰＵ１１は、再選択指示の送信を制御する（Ｓ５３）。ＣＰＵ１１は、再選択指示の送信指令を通信部１６に出力する。これに伴い、再選択指示が、通信部１６から画像処理装置３０に送信される。Ｓ５３を実行した後、ＣＰＵ１１は、処理を図２のＳ１７に戻す。その後、ＣＰＵ１１は、Ｓ１７以降の処理を繰り返して実行する。
【００７５】
再選択指示が取得されていない場合（Ｓ５１：Ｎｏ）、ＣＰＵ１１は、確定指示が取得されたか否かを判断する（Ｓ５５）。確定指示が取得された場合（Ｓ５５：Ｙｅｓ）、ＣＰＵ１１は、確定指示の送信を制御する（Ｓ５７）。ＣＰＵ１１は、確定指示の送信指令を通信部１６に出力する。これに伴い、確定指示が、通信部１６から画像処理装置３０に送信される。その後、ＣＰＵ１１は、受付処理を終了する。但し、確定指示が取得され（Ｓ５５：Ｙｅｓ参照）、Ｓ５７で確定指示が送信された後、ＣＰＵ１１は、処理を図２のＳ１７に戻すようにしてもよい。このような処理手順によれば、別の形状の衣服を、新たにデザインすることができる。例えば、先に確定させた衣服とセットで着用できる衣服を、新たにデザインすることができる。
【００７６】
確定指示が取得されていない場合（Ｓ５５：Ｎｏ）、ＣＰＵ１１は、終了指示が取得されたか否かを判断する（Ｓ５９）。終了指示が取得されていない場合（Ｓ５９：Ｎｏ）、ＣＰＵ１１は、処理を図３のＳ３３に戻す。その後、ＣＰＵ１１は、Ｓ３３以降の処理を繰り返して実行する。終了指示が取得された場合（Ｓ５９：Ｙｅｓ）、ＣＰＵ１１は、受付処理を終了する。
【００７７】
＜出力処理＞
画像処理装置３０で実行される出力処理について、図１１〜図１７を参照して説明する。図１４に示す「鉛直方向」は、図６との対応関係を明示するものである。図１５〜図１７に示す「鉛直方向」は、表示装置４０の長手方向との対応を明示するものである。表示装置４０は、上述したように、表示装置４０の長手方向が鉛直方向となる状態で設置される。例えば、上述した事業者の店員は、端末装置１０への開始指示の入力の前後に、出力処理の開始指示を操作装置６０に入力する。入力された開始指示は、操作装置６０で受け付けられ、画像処理装置３０に入力される。ＣＰＵ３１は、操作装置６０からの開始指示を、入力部３６を介して取得する。開始指示の取得に応じて、ＣＰＵ３１は、記憶装置３２に記憶された出力処理のプログラムを起動する。これに伴い、出力処理が開始される。
【００７８】
出力処理を開始させたＣＰＵ３１は、撮影データを取得する（Ｓ７１）。例えば、店員は、着用者に、撮影装置５０に正面を向けた状態で撮影装置５０の前に立つように指示する。撮影装置５０では、着用者の正面が撮影される。撮影装置５０は、着用者の正面を含む撮影画像に対応する撮影データを出力する。次に、店員は、着用者に、撮影装置５０に背面を向けた状態で、撮影装置５０の前に立つように指示する。撮影装置５０では、着用者の背面が撮影される。撮影装置５０は、着用者の背面を含む撮影画像に対応する撮影データを出力する。最後に、店員は、着用者に、撮影装置５０に側面を向けた状態で、撮影装置５０の前に立つように指示する。撮影装置５０では、着用者の側面が撮影される。撮影装置５０は、着用者の側面を含む撮影画像に対応する撮影データを出力する。ＣＰＵ３１は、撮影装置５０から出力された正面と背面と側面の各撮影データを、入力部３６を介して取得する。取得された正面と背面と側面の各撮影データは、ＲＡＭ３３に記憶される。
【００７９】
次に、ＣＰＵ３１は、体型情報が取得されたか否かを判断する（Ｓ７３）。体型情報は、図２のＳ１５で、端末装置１０から送信される。画像処理装置３０では、体型情報が通信部３４で受信される。ＣＰＵ３１は、通信部３４を介して体型情報を取得する。取得された体型情報は、ＲＡＭ３３に記憶される。体型情報が取得されていない場合（Ｓ７３：Ｎｏ）、ＣＰＵ３１は、この判断を繰り返して実行する。体型情報が取得された場合（Ｓ７３：Ｙｅｓ）、ＣＰＵ３１は、取得された体型情報に関連付けられた人形データを、記憶装置３２から取得する（Ｓ７５）。取得された人形データは、ＲＡＭ３３に記憶される。例えば、体型情報として、体型情報Ｍが取得されたとする。この場合、ＣＰＵ３１は、体型情報Ｍに関連付けられた正面の人形データＭと背面の人形データＭと側面の人形データＭを、記憶装置３２から取得する。取得された正面と背面と側面の各人形データＭは、ＲＡＭ３３に記憶される。
【００８０】
Ｓ７５を実行した後、ＣＰＵ３１は、衣服情報が取得されたか否かを判断する（Ｓ７７）。衣服情報は、図２のＳ２１で、端末装置１０から送信される。画像処理装置３０では、衣服情報が通信部３４で受信される。ＣＰＵ３１は、通信部３４を介して衣服情報を取得する。取得された衣服情報は、ＲＡＭ３３に記憶される。衣服情報が取得されていない場合（Ｓ７７：Ｎｏ）、ＣＰＵ３１は、この判断を繰り返して実行する。衣服情報が取得された場合（Ｓ７７：Ｙｅｓ）、ＣＰＵ３１は、取得された衣服情報に関連付けられた衣服データを、記憶装置３２から取得する（Ｓ７９）。取得された衣服データは、ＲＡＭ３３に記憶される。例えば、衣服情報として、衣服情報Ａ３が取得されたとする。この場合、ＣＰＵ３１は、衣服情報Ａ３に関連付けられた正面の衣服データＡ３と背面の衣服データＡ３と側面の衣服データＡ３を、記憶装置３２から取得する。取得された正面と背面と側面の各衣服データＡ３は、ＲＡＭ３３に記憶される。
【００８１】
Ｓ７９を実行した後、ＣＰＵ３１は、柄情報が取得されたか否かを判断する（Ｓ８１）。柄情報は、図２のＳ２７で、端末装置１０から送信される。画像処理装置３０では、柄情報が通信部３４で受信される。ＣＰＵ３１は、通信部３４を介して柄情報を取得する。取得された柄情報は、ＲＡＭ３３に記憶される。柄情報が取得されていない場合（Ｓ８１：Ｎｏ）、ＣＰＵ３１は、この判断を繰り返して実行する。柄情報が取得された場合（Ｓ８１：Ｙｅｓ）、ＣＰＵ３１は、取得された柄情報に関連付けられた柄データを、記憶装置３２から取得する（Ｓ８３）。取得された柄データは、ＲＡＭ３３に記憶される。例えば、柄情報として、柄情報Ｂ１が取得されたとする。この場合、ＣＰＵ３１は、柄情報Ｂ１に関連付けられた柄データＢ１を、記憶装置３２から取得する。取得された柄データＢ１は、ＲＡＭ３３に記憶される。
【００８２】
Ｓ８３を実行した後、ＣＰＵ３１は、衣服データと柄データを合成し、中間データを生成する（Ｓ８５）。例えば、Ｓ７９で、正面と背面と側面の各衣服データＡ３が取得され、ＲＡＭ３３に記憶されていたとする。Ｓ８３で、柄データＢ１が取得され、ＲＡＭ３３に記憶されていたとする。この場合、ＣＰＵ３１は、正面の衣服データＡ３と柄データＢ１を合成し、正面の中間データを生成する。正面の中間データは、図１４の「正面」に示す合成画像に対応する合成データである。ＣＰＵ３１は、背面の衣服データＡ３と柄データＢ１を合成し、背面の中間データを生成する。背面の中間データは、図１４の「背面」に示す合成画像に対応する合成データである。ＣＰＵ３１は、側面の衣服データＡ３と柄データＢ１を合成し、側面の中間データを生成する。側面の中間データは、図１４の「側面」に示す合成画像に対応する合成データである。Ｓ８５では、公知の合成処理技術が採用される。そのため、Ｓ８５で実行される合成処理に関する説明は、省略する。正面と背面と側面の各衣服データ（Ｓ７９参照）と柄データ（Ｓ８３参照）は、ＲＡＭ３３から消去される。ＲＡＭ３３には、生成された正面と背面と側面の各中間データが記憶される。
【００８３】
次に、ＣＰＵ３１は、第一合成処理を開始する（Ｓ８７）。第一合成処理では、第一合成データが生成され、端末装置１０に送信される。第一合成処理で生成される第一合成データは、第一正面データと、第一背面データと、第一側面データである。第一合成処理については、後述する。続けて、ＣＰＵ３１は、第二合成処理を開始する（Ｓ８９）。第二合成処理では、第二合成データが生成され、ＲＡＭ３３に記憶される。第二合成処理で生成される第二合成データは、第二正面データと、第二背面データと、第二側面データである。実施形態において、第二合成データは、第二正面データと第二背面データと第二側面データを区別しない場合又はこれらを総称する場合に用いる合成データの名称である。第二正面データは、第二正面画像に対応する合成画像である。第二背面データは、第二背面画像に対応する合成画像である。第二側面データは、第二側面画像に対応する合成画像である。
【００８４】
第二正面画像は、図１１のＳ８５で生成された正面の中間データに対応する柄の衣服を着用し、頭部の画像を着用者の頭部画像とした次の人形の正面に対応する合成画像である。前述の人形は、Ｓ７５でＲＡＭ３３に記憶された正面の人形データに対応する所定の体型の人形である。第二正面画像では、着用者の頭部画像は、正面の頭部画像とされる。第二背面画像は、図１１のＳ８５で生成された背面の中間データに対応する柄の衣服を着用し、頭部の画像を着用者の頭部画像とした次の人形の背面に対応する合成画像である。前述の人形は、Ｓ７５でＲＡＭ３３に記憶された背面の人形データに対応する所定の体型の人形である。第二背面画像では、着用者の頭部画像は、背面の頭部画像とされる。第二側面画像は、図１１のＳ８５で生成された側面の中間データに対応する柄の衣服を着用し、頭部の画像を着用者の頭部画像とした次の人形の側面に対応する合成画像である。前述の人形は、Ｓ７５でＲＡＭ３３に記憶された側面の人形データに対応する所定の体型の人形である。人形の側面は、撮影装置５０によって撮影される着用者の側面と同じ側の側面である。実施形態では、撮影装置５０による撮影対象は、着用者の右側面とされている。従って、第二側面画像は、人形の右側面に対応する合成画像となる。第二側面画像では、着用者の頭部画像は、側面の頭部画像とされる。実施形態では、第二正面画像と第二背面画像と第二側面画像を区別しない場合又はこれらを総称する場合、「第二合成画像」という。第二合成データは、第二合成画像に対応する合成データということもできる。第二合成処理と正面と背面と側面の各頭部画像については、後述する。Ｓ８９を実行した後、ＣＰＵ３１は、処理を図１２のＳ９１に移行する。
【００８５】
Ｓ９１でＣＰＵ３１は、Ｓ８７で開始させた第一合成処理と、Ｓ８９で開始させた第二合成処理が共に終了したか否かを判断する。第一合成処理の終了は、例えば、第一合成フラグのＯＮ又はＯＦＦによって判断される。ＣＰＵ３１は、Ｓ８７において第一合成フラグをＯＮとし、第一合成処理の終了に伴い、第一合成フラグをＯＦＦとする。第二合成処理の終了は、例えば、第二合成フラグのＯＮ又はＯＦＦによって判断される。ＣＰＵ３１は、Ｓ８９において第二合成フラグをＯＮとし、第二合成処理の終了に伴い、第二合成フラグをＯＦＦとする。第一合成フラグと第二合成フラグの少なくとも何れか一方がＯＮであるとする。この場合、第一合成処理と第二合成処理の少なくとも何れか一方は、実行中であり、Ｓ９１は否定される。Ｓ９１が否定される場合（Ｓ９１：Ｎｏ）、ＣＰＵ３１は、この判断を繰り返して実行する。
【００８６】
これに対し、第一合成フラグと第二合成フラグの両方がＯＦＦであるとする。この場合、第一合成処理と第二合成処理は、共に終了しており、Ｓ９１は肯定される。Ｓ９１が肯定される場合（Ｓ９１：Ｙｅｓ）、ＣＰＵ３１は、第二合成画像の出力を制御する（Ｓ９３）。第二合成画像の出力において、初期の出力対象は、第二正面画像とされる。ＣＰＵ３１は、後述する図１９のＳ１３５でＲＡＭ３３に記憶された第二正面データから第二正面画像を生成する。続けて、ＣＰＵ３１は、第二正面画像の出力指令を出力部３５に出力する。これに伴い、第二正面画像の出力指令が、出力部３５から表示装置４０に出力される。表示装置４０では、第二正面画像が表示される（図１５参照）。
【００８７】
Ｓ９３を実行した後、ＣＰＵ３１は、正面切替指示が取得されたか否かを判断する（Ｓ９５）。正面切替指示は、図３のＳ３５で、端末装置１０から送信される。画像処理装置３０では、正面切替指示が通信部３４で受信される。ＣＰＵ３１は、通信部３４を介して正面切替指示を取得する。端末装置１０で、第一正面画像を含む確認画面が表示部１５に表示されているとする（図８参照）。この場合、上述した通り、Ｓ３３は否定（図３のＳ３３：Ｎｏ参照）され、図３のＳ３５は実行されない。従って、画像処理装置３０では、正面切替指示は、通信部３４で受信されず、ＣＰＵ３１は、これを取得しない。例えば、図３のＳ３３がＳ３１の直後に実行されている場合と同様、Ｓ９５がＳ９３の直後に実行されている場合、Ｓ９５は、肯定（Ｓ９５：Ｙｅｓ）されずに否定（Ｓ９５：Ｎｏ）される。
【００８８】
正面切替指示が取得された場合（Ｓ９５：Ｙｅｓ）、ＣＰＵ３１は、第二正面画像の出力を制御する（Ｓ９７）。ＣＰＵ３１は、後述する図１９のＳ１３５でＲＡＭ３３に記憶された第二正面データから第二正面画像を生成する。続けて、ＣＰＵ３１は、第二正面画像の出力指令を出力部３５に出力する。これに伴い、第二正面画像の出力指令が、出力部３５から表示装置４０に出力される。表示装置４０では、第二正面画像が表示される（図１５参照）。Ｓ９７を実行した後、ＣＰＵ３１は、処理をＳ９５に戻す。その後、ＣＰＵ３１は、Ｓ９５以降の処理を繰り返して実行する。
【００８９】
正面切替指示が取得されていない場合（Ｓ９５：Ｎｏ）、ＣＰＵ３１は、背面切替指示が取得されたか否かを判断する（Ｓ９９）。背面切替指示は、図３のＳ４１で、端末装置１０から送信される。画像処理装置３０では、背面切替指示が通信部３４で受信される。ＣＰＵ３１は、通信部３４を介して背面切替指示を取得する。端末装置１０で、第一背面画像を含む確認画面が表示部１５に表示されているとする（図９参照）。この場合、上述した通り、Ｓ３９は否定（図３のＳ３９：Ｎｏ参照）され、図３のＳ４１は実行されない。従って、画像処理装置３０では、背面切替指示は、通信部３４で受信されず、ＣＰＵ３１は、これを取得しない。
【００９０】
背面切替指示が取得された場合（Ｓ９９：Ｙｅｓ）、ＣＰＵ３１は、第二背面画像の出力を制御する（Ｓ１０１）。ＣＰＵ３１は、後述する図１９のＳ１３５でＲＡＭ３３に記憶された第二背面データから第二背面画像を生成する。続けて、ＣＰＵ３１は、第二背面画像の出力指令を出力部３５に出力する。これに伴い、第二背面画像の出力指令が、出力部３５から表示装置４０に出力される。表示装置４０では、第二背面画像が表示される（図１６参照）。Ｓ１０１を実行した後、ＣＰＵ３１は、処理をＳ９５に戻す。その後、ＣＰＵ３１は、Ｓ９５以降の処理を繰り返して実行する。
【００９１】
背面切替指示が取得されていない場合（Ｓ９９：Ｎｏ）、ＣＰＵ３１は、側面切替指示が取得されたか否かを判断する（Ｓ１０３）。側面切替指示は、図３のＳ４７で、端末装置１０から送信される。画像処理装置３０では、側面切替指示が通信部３４で受信される。ＣＰＵ３１は、通信部３４を介して側面切替指示を取得する。端末装置１０で、第一側面画像を含む確認画面が表示部１５に表示されているとする（図１０参照）。この場合、上述した通り、Ｓ４５は否定（図３のＳ４５：Ｎｏ参照）され、図３のＳ４７は実行されない。従って、画像処理装置３０では、側面切替指示は、通信部３４で受信されず、ＣＰＵ３１は、これを取得しない。
【００９２】
側面切替指示が取得された場合（Ｓ１０３：Ｙｅｓ）、ＣＰＵ３１は、第二側面画像の出力を制御する（Ｓ１０５）。ＣＰＵ３１は、後述する図１９のＳ１３５でＲＡＭ３３に記憶された第二側面データから第二側面画像を生成する。続けて、ＣＰＵ３１は、第二側面画像の出力指令を出力部３５に出力する。これに伴い、第二側面画像の出力指令が、出力部３５から表示装置４０に出力される。表示装置４０では、第二側面画像が表示される（図１７参照）。Ｓ１０５を実行した後、ＣＰＵ３１は、処理をＳ９５に戻す。その後、ＣＰＵ３１は、Ｓ９５以降の処理を繰り返して実行する。
【００９３】
側面切替指示が取得されていない場合（Ｓ１０３：Ｎｏ）、ＣＰＵ３１は、再選択指示が取得されたか否かを判断する（Ｓ１０７）。再選択指示は、図４のＳ５３で、端末装置１０から送信される。画像処理装置３０では、再選択指示が通信部３４で受信される。ＣＰＵ３１は、通信部３４を介して再選択指示を取得する。再選択指示が取得された場合（Ｓ１０７：Ｙｅｓ）、ＣＰＵ３１は、処理を図１１のＳ７７に戻す。その際、ＲＡＭ３３に記憶されている、衣服情報（図１１のＳ７７：Ｙｅｓ参照）と柄情報（図１１のＳ８１：Ｙｅｓ参照）と正面と背面と側面の各中間データ（図１１のＳ８５参照）は、ＲＡＭ３３から消去される。その後、ＣＰＵ３１は、Ｓ７７以降の処理を繰り返して実行する。この場合、ＣＰＵ３１は、表示装置４０への出力指令の出力を制御しない。従って、表示装置４０では、表示中の第二合成画像の表示が継続される。衣服の形状と柄を再選択するに際し、着用者は、表示装置４０に表示されている第二合成画像を確認しつつ、新たな衣服の形状及び柄のうちの一方又は両方を選択することができる。
【００９４】
再選択指示が取得されていない場合（Ｓ１０７：Ｎｏ）、ＣＰＵ３１は、処理を図１３のＳ１０９に移行する。Ｓ１０９でＣＰＵ３１は、確定指示が取得されたか否かを判断する。確定指示は、図４のＳ５７で、端末装置１０から送信される。画像処理装置３０では、確定指示が通信部３４で受信される。ＣＰＵ３１は、通信部３４を介して確定指示を取得する。確定指示が取得された場合（Ｓ１０９：Ｙｅｓ）、ＣＰＵ３１は、確定情報を、記憶装置３２に記憶する（Ｓ１１１）。確定情報は、確定指示が取得されたタイミングでＲＡＭ３３に記憶されている、体型情報と（図１１のＳ７３：Ｙｅｓ参照）と衣服情報（図１１のＳ７７：Ｙｅｓ参照）と柄情報（図１１のＳ８１：Ｙｅｓ参照）を含む。確定情報は、着用者を識別する情報に関連付けられる。確定情報に従い、衣服デザイン表示システム１においてデザインされた衣服が、公知の方法によって製造される。
【００９５】
例えば、今回取得された確定指示が、表示部１５と表示装置４０のそれぞれにおける表示状態が次の状態で、確定ボタン２３の上で、操作部１４に対してタップ操作が行われたことに基づき、端末装置１０から送信された確定指示であったとする。前述の状態は、例えば、図８に示す第一正面画像を含む確認画面が表示部１５に表示され、且つ図１５に示す第二正面画像が表示装置４０に表示されている状態である。第一正面画像と第二正面画像は、体型情報Ｍに基づくものであるとする。この場合、ＲＡＭ３３には、体型情報Ｍと衣服情報Ａ３と柄情報Ｂ１が記憶されている。従って、ＣＰＵ３１は、体型情報Ｍと衣服情報Ａ３と柄情報Ｂ１を含む確定情報を、着用者を識別する情報に関連付けて記憶装置３２に記憶する。その後、図８及び図１５に示す状態の衣服が、この確定情報に基づき製造される。
【００９６】
衣服の製造は、衣服デザイン表示システム１と共に、衣服製造システム８０を構成する衣服製造装置８１で行われる。即ち、衣服製造装置８１では、第一合成画像と第二合成画像における衣服が製造される。衣服製造装置８１は、例えば、捺染装置８２と、裁断装置８３と、縫製装置８４を含む（図１参照）。捺染装置８２では、確定情報における柄情報に対応する柄が、所定の布帛に印刷される。捺染装置８２としては、インクジェット方式の印刷装置が例示される。前述の柄が印刷された布帛は、裁断装置８３によって、確定情報における体型情報と衣服情報に従った衣服に対応する各パーツに裁断される。その後、裁断された各パーツが、縫製装置８４を用いて縫製される。衣服製造装置８１に含まれる捺染装置８２と裁断装置８３と縫製装置８４としては、公知の捺染装置と裁断装置と縫製装置を採用することができる。そのため、衣服製造装置８１と捺染装置８２と裁断装置８３と縫製装置８４に関するこの他の説明は、省略する。Ｓ１１１を実行した後、ＣＰＵ３１は、出力処理を終了する。但し、上述した通り、図２〜図４に示す受付処理での処理手順を、図４のＳ５７を実行後、処理を図２のＳ１７に戻す構成とする場合、ＣＰＵ３１は、Ｓ１１１を実行した後、処理を図１１のＳ７７に戻す。
【００９７】
確定指示が取得されていない場合（Ｓ１０９：Ｎｏ）、ＣＰＵ３１は、終了指示が取得されたか否かを判断する（Ｓ１１３）。終了指示は、図４のＳ６１で、端末装置１０から送信される。画像処理装置３０では、終了指示が通信部３４で受信される。ＣＰＵ３１は、通信部３４を介して終了指示を取得する。終了指示が取得されていない場合（Ｓ１１３：Ｎｏ）、ＣＰＵ３１は、処理を図１２のＳ９５に戻す。その後、ＣＰＵ３１は、Ｓ９５以降の処理を繰り返して実行する。終了指示が取得された場合（Ｓ１１３：Ｙｅｓ）、ＣＰＵ３１は、出力処理を終了する。
【００９８】
＜第一合成処理＞
図１１〜図１３に示す出力処理のＳ８７（図１１参照）で開始される第一合成処理について、図１８を参照して説明する。第一合成処理を開始させたＣＰＵ３１は、第一合成データを生成する（Ｓ１２１）。例えば、図１１のＳ７５で、正面の人形データＭと背面の人形データＭと側面の人形データＭが取得され、ＲＡＭ３３に記憶されていたとする。図１１のＳ８５で、図１４の「正面」に示す合成画像に対応する正面の中間データと、図１４の「背面」に示す合成画像に対応する背面の中間データと、図１４の「側面」に示す合成画像に対応する側面の中間データが生成され、ＲＡＭ３３に記憶されていたとする。
【００９９】
この場合、ＣＰＵ３１は、正面の人形データＭと上述の正面の中間データを合成し、図８に示す第一正面画像に対応する第一正面データを生成する。ＣＰＵ３１は、背面の人形データＭと上述の背面の中間データを合成し、図９に示す第一背面画像に対応する第一背面データを生成する。ＣＰＵ３１は、側面の人形データＭと上述の側面の中間データを合成し、図１０に示す第一側面画像に対応する第一側面データを生成する。生成された第一正面データと第一背面データと第一側面データは、ＲＡＭ３３に記憶される。Ｓ１２１では、公知の合成処理技術が採用される。そのため、Ｓ１２１で実行される合成処理に関する説明は、省略する。
【０１００】
次に、ＣＰＵ３１は、Ｓ１２１で生成された第一合成データの送信を制御する（Ｓ１２３）。ＣＰＵ３１は、第一合成データの送信指令を通信部３４に出力する。これに伴い、第一合成データが、通信部３４から端末装置１０に送信される。即ち、Ｓ１２３でＣＰＵ３１は、第一正面データと第一背面データと第一側面データの送信指令を通信部３４に出力する。これに伴い、第一正面データと第一背面データと第三側面データが、通信部３４から端末装置１０に送信される。その後、ＣＰＵ３１は、第一合成処理を終了する。
【０１０１】
＜第二合成処理＞
図１１〜図１３に示す出力処理のＳ８９（図１１参照）で開始される第二合成処理について、図１９を参照して説明する。第二合成処理を開始させたＣＰＵ３１は、撮影データから頭部データを抽出する（Ｓ１３１）。処理対象とされる撮影データは、図１１のＳ７１でＲＡＭ３３に記憶された正面と背面と側面の各撮影データである。ＣＰＵ３１は、正面の撮影データを画像解析し、着用者の頭部の頭部画像を検出する。ＣＰＵ３１は、正面の撮影データから、検出された頭部画像に対応する頭部データを抽出し、ＲＡＭ３３に記憶する。ＣＰＵ３１は、背面の撮影データを画像解析し、着用者の頭部の頭部画像を検出する。ＣＰＵ３１は、背面の撮影データから、検出された頭部画像に対応する頭部データを抽出し、ＲＡＭ３３に記憶する。ＣＰＵ３１は、側面の撮影データを画像解析し、着用者の頭部の頭部画像を検出する。ＣＰＵ３１は、側面の撮影データから、検出された頭部画像に対応する頭部データを抽出し、ＲＡＭ３３に記憶する。Ｓ１３１では、例えば、頭部画像の検出に際し、着用者の頭部の輪郭が、公知のエッジ検出処理技術によって検出される。即ち、Ｓ１３１では、公知の画像解析技術が採用される。そのため、Ｓ１３１で実行される画像解析技術に関する説明は、省略する。
【０１０２】
実施形態では、正面の撮影データから抽出された頭部データを「正面の頭部データ」という。正面の頭部データに対応する頭部画像を「正面の頭部画像」という。背面の撮影データから抽出された頭部データを「背面の頭部データ」という。背面の頭部データに対応する頭部画像を「背面の頭部画像」という。側面の撮影データから抽出された頭部データを「側面の頭部データ」という。側面の頭部データに対応する頭部画像を「側面の頭部画像」という。正面と背面と側面の各頭部データを区別しない場合又はこれらを総称する場合、「頭部データ」という。正面と背面と側面の各頭部画像を区別しない場合又はこれらを総称する場合、「頭部画像」という。
【０１０３】
次に、ＣＰＵ３１は、頭部データから、頭部画像に含まれる着用者の肌の色情報を特定する（Ｓ１３３）。処理対象とされる頭部データは、ＲＡＭ３３に記憶された正面と背面と側面の各頭部データのうちの一部又は全部とされる。例えば、正面の頭部データ、又は正面と側面の各頭部データが処理対象とされる。色情報の特定は、頭部画像の所定の部位を対象として行われる。例えば、顔又は顔における特定の部位を対象として、色情報が特定される。顔における特定の部位としては、頬が例示される。肌の色の特定に際し、ＣＰＵ３１は、頭部データを画像解析し、特定対象となる部位を検出する。続けて、ＣＰＵ３１は、検出された部位の色情報から、肌の色情報を特定する。色情報の特定対象を複数とする場合、各部位から特定された色情報の平均値を、肌の色情報として特定するようにしてもよい。例えば、色情報がＲＧＢ値によって特定されるとする。この場合、色情報の平均値は、例えば、部位毎のＲ値とＧ値とＢ値をそれぞれ平均して取得される。この他、正面と背面と側面の各頭部データから、個別に色情報を特定するようにしてもよい。背面の頭部データからの色情報の特定について、例えば、背面の頭部画像に耳が含まれる場合、色情報の特定は、耳を特定対象として行われる。特定された色情報は、ＲＡＭ３３に記憶される。
【０１０４】
Ｓ１３３を実行した後、ＣＰＵ３１は、第二合成データを生成する（Ｓ１３５）。生成された第二合成データは、ＲＡＭ３３に記憶される。例えば、図１１のＳ７５で、正面の人形データＭと背面の人形データＭと側面の人形データＭが取得され、ＲＡＭ３３に記憶されていたとする。図１１のＳ８５で、図１４の「正面」に示す合成画像に対応する正面の中間データと、図１４の「背面」に示す合成画像に対応する背面の中間データと、図１４の「側面」に示す合成画像に対応する側面の中間データが生成され、ＲＡＭ３３に記憶されていたとする。
【０１０５】
この場合、ＣＰＵ３１は、正面の人形データＭと上述の正面の中間データと正面の頭部データを合成する。その際、ＣＰＵ３１は、頭部を正面の頭部データに対応する正面の頭部画像とし、且つ着用した衣服によって被覆されていない頭部を除く人形の部分を、ＲＡＭ３３に記憶された色情報の色とする。即ち、ＣＰＵ３１は、図１５に示す第二正面画像に対応する第二正面データを生成する。ＣＰＵ３１は、背面の人形データＭと上述の背面の中間データと背面の頭部データを合成する。その際、ＣＰＵ３１は、頭部を背面の頭部データに対応する背面の頭部画像とし、且つ着用した衣服によって被覆されていない頭部を除く人形の部分を、ＲＡＭ３３に記憶された色情報の色とする。即ち、ＣＰＵ３１は、図１６に示す第二背面画像に対応する第二背面データを生成する。ＣＰＵ３１は、側面の人形データＭと上述の側面の中間データと側面の頭部データを合成する。その際、ＣＰＵ３１は、頭部を側面の頭部データに対応する側面の頭部画像とし、且つ着用した衣服によって被覆されていない頭部を除く人形の部分を、ＲＡＭ３３に記憶された色情報の色とする。即ち、ＣＰＵ３１は、図１７に示す第二側面画像に対応する第二側面データを生成する。生成された第二正面データと第二背面データと第二側面データは、ＲＡＭ３３に記憶される。図１５〜図１７は、Ｓ１３５を含む実施形態に関する説明の理解を補助する図である。従って、図１５〜図１７では、ＲＡＭ３３に記憶された色情報の色と、着用した衣服によって被覆されていない頭部を除く人形の部分の色の正確な同一性は、考慮されていない。
【０１０６】
正面と背面と側面のそれぞれについて、色情報が特定されているとする。この場合、第二正面データの合成では、正面の色情報が用いられる。第二背面データの合成では、背面の色情報が用いられる。背面の色情報が特定されていない場合、正面若しくは側面の色情報、又は正面及び側面の各色情報の平均値が用いられる。第二側面データの合成では、側面の色情報が用いられる。人形データと中間データと撮影データの合成に先立ち、人形データをＲＡＭ３３に記憶された色情報の色とするようにしてもよい。この場合、ＲＡＭ３３に記憶された色情報の色とされた人形データを用いて、上述した合成処理が実行される。これによっても、着用した衣服によって被覆されていない頭部を除く人形の部分を、ＲＡＭ３３に記憶された色情報の色とした第二合成画像に対応する第二合成データを生成することができる。Ｓ１３５では、公知の合成処理技術が採用される。Ｓ１３５で実行される合成処理に関する説明は、省略する。Ｓ１３５を実行した後、ＣＰＵ３１は、第二合成処理を終了する。
【０１０７】
＜実施形態の効果＞
実施形態によれば、次のような効果を得ることができる。
【０１０８】
（１）衣服デザイン表示システム１は、端末装置１０と、画像処理装置３０と、表示装置４０を含む。端末装置１０では、図２〜図４に示す受付処理が実行される。画像処理装置３０では、図１１〜図１３に示す出力処理が実行される。受付処理では、体型情報と衣服情報と柄情報が取得され、画像処理装置３０に送信される（図２のＳ１１〜Ｓ２７参照）。出力処理では、図１８に示す第一合成処理と図１９に示す第二合成処理が開始され（図１１のＳ８７及びＳ８９参照）、端末装置１０からの体型情報と衣服情報と柄情報に応じた第一合成データと第二合成データが生成される（図１８のＳ１２１及び図１９のＳ１３５参照）。第一合成処理では、第一合成データが端末装置１０に送信される（図１８のＳ１２３参照）。受付処理では、第一合成データに対応する第一合成画像が、表示部１５に表示される（図３のＳ３１、Ｓ３７、Ｓ４３及びＳ４９と図８〜図１０参照）。出力処理では、第二合成データに対応した第二合成画像が、表示装置４０に出力される（図１２のＳ９３、Ｓ９７、Ｓ１０１及びＳ１０５参照）。表示装置４０としては、表示される画像を大きく表示することができる大型の表示装置が採用される。
【０１０９】
そのため、第二合成画像を表示装置４０に表示することができる（図１５〜図１７参照）。表示装置４０を大型化することで、第二合成画像を大きく表示することができる。例えば、着用者の体型に対応する体型情報に関連付けられた人形データにおける人形の設定身長と同程度となる状態で、第二合成画像を表示装置４０に表示するようにするとよい。第二合成画像を大きく表示することで、第二合成画像上の衣服と実物の衣服の大きさが近似値となり、面積効果による知覚色の差異に起因する不具合が、未然に解消される。
【０１１０】
所定の柄の所定の形状の衣服を、所定の体型の人形に着用させた状態の第二合成画像とすることで、着用者は、新たにデザインされた衣服の印象を認識することが可能となる。例えば、新たにデザインされた衣服が、図６に示す衣服情報Ａ１，Ａ２，Ａ３，Ａ５のような形状のノースリーブ又はショートスリーブであったとする。着用者が、実際に着用している衣服が、長袖の衣服であったとする。合成データの生成に、着用者の全身を含む撮影画像に対応する撮影データを用いたとする。この場合、生成された合成データに対応する合成画像では、着用者が実際に着用している衣服の長袖の部分及びその部分の柄の影響により、新たにデザインされた衣服の印象を正しく認識することが困難となることがある。新たにデザインされた衣服の印象を認識する際、着用者が実際に着用している衣服による影響を抑制することができる。
【０１１１】
（２）衣服デザイン表示システム１は、撮影装置５０を含む。撮影装置５０によって、着用者が撮影される。出力処理では、撮影データが取得される（図１１のＳ７１参照）。第二合成処理では、撮影データから頭部データが抽出され（図１９のＳ１３１参照）、更に、頭部データから頭部画像における肌の色情報が特定される（図１９のＳ１３３参照）。第二合成処理では、人形データに対応する人形の頭部が頭部データに対応する頭部画像とされ、且つ着用した衣服によって被覆されていない頭部を除く人形の部分が、色情報の色とされた人形に対応する第二合成データが生成される（図１９のＳ１３５参照）。第一合成処理では、このような合成は実行されない。そのため、端末装置１０の表示部１５に表示された着用者の頭部を含まない第一合成画像によって、着用者に、衣服自体の印象を認識させることができる。表示装置４０に表示された第二合成画像によって、着用者に、自身が着用したときの容姿の印象を認識させることができる。
【０１１２】
（３）出力処理では、図１１のＳ８５で中間データを生成した後、図１１のＳ８７で第一合成処理が開始され、図１１のＳ８９で第二合成処理が開始される。そのため、第一合成処理と第二合成処理のそれぞれにおいて、正面と背面と側面の各衣服データと柄データを合成する必要がない。第一合成処理では、Ｓ８５で生成された正面と背面と側面の各中間データが利用される。第二合成処理では、Ｓ８５で生成された正面と背面と側面の各中間データが利用される。重複した処理の実行を防止し、処理の効率を向上させることが可能となる。
【０１１３】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【０１１４】
（１）処理対象となる面を、正面と、背面と、側面とした。その際、側面は、右側面を対象とした。処理対象とする側面は、左右の両側面としてもよい。この場合、上記で側面を対象とした処理等が、右側の側面と左側の側面を対象として適宜実行される。記憶装置３２には、左右の各側面に対応する人形データと衣服データが記憶される。確認画面（図８〜図１０参照）では、左側面ボタンと右側面ボタンがそれぞれ設けられる。
【０１１５】
（２）図２〜図４に示す受付処理は、体型選択画面（図５参照）を表示し、体型情報を取得及び送信する処理手順（図２のＳ１１〜Ｓ１５参照）と、衣服選択画面（図６参照）を表示し、衣服情報を取得及び送信する処理手順（図２のＳ１７〜Ｓ２１参照）と、柄選択画面（図７参照）を表示し、柄情報を取得及び送信する処理手順（図２のＳ２３〜Ｓ２７参照）を含む。これら３個の各処理手順は、上記とは異なる順序としてもよい。例えば、図２のＳ１１〜Ｓ１５を実行し、続けて、図２のＳ２３〜Ｓ２７に対応する処理手順を実行し、その後、図２のＳ１７〜Ｓ２１に対応する処理手順を実行するようにしてもよい。この他、図２のＳ２３〜Ｓ２７に対応する処理手順を実行し、続けて、図２のＳ１７〜Ｓ２１に対応する処理手順を実行し、その後、図２のＳ１１〜Ｓ１５に対応する処理手順を実行するようにしてもよい。体型選択画面と衣服選択画面と柄選択画面のうち、最初に実行される処理手順に関する画面では、戻るボタン１８が省略され、２番目に実行される処理手順に関する画面と３番目に実行される処理手順に関する画面では、戻るボタン１８が設けられる。図１１〜図１３に示す出力処理では、Ｓ７３及びＳ７５の処理手順とＳ７７及びＳ７９の処理手順とＳ８１及びＳ８３の処理手順は、前述した受付処理における３個の各処理手順の順序に対応させた順序とされる。
【０１１６】
（３）図５に示す体型選択画面では、選択肢としての人形画像Ｌ，Ｍ，Ｓを、人形データＬ，Ｍ，Ｓに対応する縮小画像とした。図６に示す衣服選択画面では、選択肢としての衣服画像Ａ１，Ａ２，Ａ３，Ａ４，Ａ５を、衣服データＡ１，Ａ２，Ａ３，Ａ４，Ａ５に対応する縮小画像とした。図７に示す柄選択画面では、選択肢としての柄画像Ｂ１，Ｂ２，Ｂ３，Ｂ４，Ｂ５，Ｂ６を、柄データＢ１，Ｂ２，Ｂ３，Ｂ４，Ｂ５，Ｂ６に対応する縮小画像とした。各画面において、選択肢としての各画像は、各データとの対応関係が明らかであれば、前述した縮小画像とは異なる所定の画像としてもよい。この場合、端末装置１０でＣＰＵ１１は、各画面の表示に際し（図２のＳ１１、Ｓ１７及びＳ２３参照）、選択肢となる画像に対応する画像データを、上記同様に取得する。
【０１１７】
（４）図２〜図４に示す受付処理では、再選択指示が取得された場合（図４のＳ５１：Ｙｅｓ参照）、再選択指示が送信され（図４のＳ５３参照）、その後、処理は、図２のＳ１７に戻る。図４のＳ５３で、再選択指示が送信された後、処理を、図２のＳ１１に戻すようにしてもよい。図２のＳ１５及びＳ２１の一方又は両方は、省略するようにしてもよい。この場合、体型情報及び衣服情報の一方又は両方は、図２のＳ２７のタイミングで、柄情報と共に送信される。
【０１１８】
（５）図１１〜図１３に示す出力処理では、第一合成処理（図１８参照）と第二合成処理（図１９参照）が、順次開始される（図１１のＳ８７及びＳ８９参照）。第一合成処理と第二合成処理の何れか一方は、省略するようにしてもよい。例えば、第二合成処理を省略する場合、図１２のＳ９１では、第一合成処理が終了したか否かが判断される。図１２のＳ９３とＳ９７とＳ１０１とＳ１０５は、第一合成処理で生成され、ＲＡＭ３３に記憶された第一合成データ（第一正面データ、第一背面データ及び第一側面データ）を用いて、適宜制御される。表示装置４０では、第一合成データに対応する第一合成画像（図８〜図１０参照）が、図１５〜図１７に示す第二合成画像と同様の状態で表示される。
【０１１９】
第一合成処理を省略する場合、図１９のＳ１３５が実行された後、第二合成データ（第二正面データ、第二背面データ及び第二側面データ）が、通信部３４から端末装置１０に送信される。図１２のＳ９１では、第二合成処理が終了したか否かが判断される。図３のＳ３１とＳ３７とＳ４３とＳ４９は、第二合成データを用いて、適宜制御される。表示部１５では、第二合成データに対応する第二合成画像（図１５〜図１７参照）が、図８〜図１０に示す第一合成画像と同様の状態で、表示領域Ｒに表示される。
【０１２０】
この他、第一合成処理と第二合成処理の両方を省略するようにしてもよい。この場合、人形データは、省略するようにしてもよい。出力処理（図１１〜図１３参照）では、図１１のＳ８７とＳ８９と図１２のＳ９１が省略される。図１２のＳ９３とＳ９７とＳ１０１とＳ１０５は、正面と背面と側面の各中間データを用いて、適宜制御される。表示装置４０では、正面と背面と側面の各中間データに対応する正面と背面と側面の各合成画像（図１４参照）が、図１５〜図１７に示す第二合成画像と同様の状態で表示される。出力処理では、図１１のＳ８５が実行された後、正面と背面と側面の各中間データが、通信部３４から端末装置１０に送信される。図３のＳ３１とＳ３７とＳ４３とＳ４９は、正面と背面と側面の各中間データを用いて、適宜制御される。表示部１５では、正面と背面と側面の各中間データに対応する正面と背面と側面の各合成画像（図１４参照）が、図８〜図１０に示す第一合成画像と同様の状態で表示領域Ｒに表示される。体型情報は、上記同様、確定情報として記憶され（図１４のＳ１１１）、衣服を製造する際に用いられる。
【０１２１】
（６）図１９に示す第二合成処理では、頭部データが撮影データから抽出され、肌の色情報が頭部データから特定される（図１９のＳ１３１及びＳ１３３参照）。図１９のＳ１３１は、省略するようにしてもよい。この場合、Ｓ１３５では、頭部データは合成されない。図１９のＳ１３５では、頭部が特定された色情報の色とされた人形の合成画像に対応する第二合成データが、生成される。頭部データが抽出されない場合、肌の色情報の特定は、撮影データの画像解析によって頭部として検出された領域のデータ部分を対象として行われる。図１９のＳ１３３は、省略するようにしてもよい。この場合、記憶装置３２に記憶された人形データを、全体が予め所定の肌色とされた人形に対応する画像データとするようにしてもよい。
【０１２２】
（７）衣服デザイン表示システム１は、端末装置１０と、画像処理装置３０と、表示装置４０を含む（図１参照）。端末装置１０では、図２〜図４に示す受付処理が実行される。画像処理装置３０では、図１１〜図１３に示す出力処理と、図１８に示す第一合成処理と、図１９に示す第二合成処理が実行される。衣服デザイン表示システム１では、端末装置１０と画像処理装置３０は、合成画像を表示装置４０に表示させる衣服デザイン出力システム２となる。衣服デザイン出力システム２は、１台の情報処理装置であってもよい。衣服デザイン出力システム２を１台の情報処理装置とした場合、衣服デザイン出力システム２は、図２０に示すように、ＣＰＵ９１と、記憶装置９２と、ＲＡＭ９３と、操作部９４と、表示部９５と、通信部９６と、出力部９７と、入力部９８を備える。
【０１２３】
ＣＰＵ９１は、ＣＰＵ１１，３１に対応する。ＣＰＵ９１は、１台の情報処理装置による衣服デザイン出力システム２を制御する衣服デザイン出力システム２の制御部である。ＣＰＵ９１は、演算処理を実行し、衣服デザイン出力システム２を制御する。記憶装置９２は、記憶装置１２，３２に対応する。記憶装置９２には、ＯＳと、各種のプログラムが記憶される。記憶装置９２に記憶されるプログラムには、受付処理（図２〜図４参照）のプログラムと、出力処理（図１１〜図１３参照）のプログラムと、第一合成処理（図１８参照）のプログラムと、第二合成処理（図１９参照）のプログラムが含まれる。第二合成処理のプログラムは、人間の頭部を認識し抽出する画像解析のプログラムを含む。更に、記憶装置９２には、複数の人形データと複数の衣服データと複数の柄データを含む各種のデータが記憶される。
【０１２４】
ＲＡＭ９３は、ＲＡＭ１３，３３に対応する。ＲＡＭ９３は、ＣＰＵ９１が記憶装置９２に記憶されたＯＳと各種のプログラムを実行する際の記憶領域となる。ＲＡＭ９３には、処理の実行途中に所定の情報及びデータが、所定の記憶領域に記憶される。複数の人形データと複数の衣服データと複数の柄データは、ＲＡＭ９３に記憶されていてもよい。衣服デザイン出力システム２では、制御部としてのＣＰＵ９１が、記憶装置９２に記憶されたＯＳと各種のプログラムを実行する。これに伴い、衣服デザイン出力システム２では、各種の処理が実行され、実行された処理に対応する機能が実現される。
【０１２５】
操作部９４は、操作部１４に対応する。表示部９５は、表示部１５に対応する。図２０に示す衣服デザイン出力システム２でも、操作部９４は、タッチパッドによる操作部とするようにしてもよい。この場合、操作部９４と表示部９５によって、タッチパネルが構成される。通信部９６は、通信部１６，３４に対応する。通信部９６は、衣服デザイン出力システム２を、ネットワーク７０に接続する。通信部９６は、無線ＬＡＮの通信方式に対応するネットワークインターフェースと、有線ＬＡＮの通信方式に対応するネットワークインターフェースを含む。但し、通信部９６は、前述した２種類のネットワークインターフェースのうちの１種類のネットワークインターフェースを含む通信部であってもよい。捺染装置８２をネットワーク７０に接続することで、図２０に示す衣服製造システム８０で、衣服デザイン出力システム２は、捺染装置８２に、確定情報における柄情報に対応する柄の印刷を指示することが可能となる。裁断装置８３をネットワーク７０に接続することで、図２０に示す衣服製造システム８０で、衣服デザイン出力システム２は、裁断装置８３に、確定情報における体型情報と衣服情報に従った衣服に対応する各パーツの裁断を指示することが可能となる。このことは、図１に示す衣服製造システム８０についても同様で、画像処理装置３０は、捺染装置８２に、確定情報における柄情報に対応する柄の印刷を指示し、裁断装置８３に、確定情報における体型情報と衣服情報に従った衣服に対応する各パーツの裁断を指示することが可能となる。但し、図２０に示す衣服製造システム８０で、衣服デザイン出力システム２から捺染装置８２と裁断装置８３に、前述の柄の印刷と各パーツの裁断を指示する構成を採用しない場合、通信部９６は、省略するようにしてもよい。
【０１２６】
出力部９７は、出力部３５に対応する。入力部９８は、入力部３６に対応する。図２０に示す衣服デザイン出力システム２では、例えば、出力部９７に表示装置４０が接続され、入力部９８に撮影装置５０と操作装置６０が接続される。図２０に示す衣服デザイン出力システム２では、受付処理と出力処理が、ＣＰＵ９１によって上記同様に実行される。上記において、端末装置１０と画像処理装置３０の間を送受信された所定の情報と指示とデータは、図２０に示す衣服デザイン出力システム２で実行される、受付処理のプログラムによるプロセスと出力処理のプログラムによるプロセスの間で、プロセス間通信される。
【０１２７】
図２０に示す衣服デザイン出力システム２では、操作部９４又は操作装置６０の何れか一方は、省略するようにしてもよい。この場合、上記において操作部１４又は操作装置６０に対して行われた操作に対応する操作は、操作部９４及び操作装置６０のうちの採用される操作用の構成に対して行われる。操作部１４が省略される場合、操作部１４に対する操作に対応する操作装置６０に対する操作は、操作装置６０に含まれるキーボード及びマウスの一方又は両方で受け付けられる。例えば、体型選択画面（図５参照）での人形画像の選択と、衣服選択画面（図６参照）での衣服画像の選択と、柄選択画面（図７参照）での柄画像の選択は、選択肢としての所定の画像の上で、操作装置６０に対してクリック操作を行うことでなされる。前述の各画面で、一部が隠れた状態で表示されている画像又は非表示とされている画像を表示させる場合、操作装置６０に対してスクロール操作が行われる。この他、衣服選択画面と柄選択画面での戻るボタン１８の押下と、確認画面（図８〜図１０参照）に含まれる正面ボタン１９と背面ボタン２０と側面ボタン２１と再選択ボタン２２と確定ボタン２３と終了ボタン２４の押下は、前述した各ボタンの上で、操作装置６０に対してクリック操作を行うことでなされる。
【符号の説明】
【０１２８】
１  衣服デザイン表示システム、  ２  衣服デザイン出力システム
１０  端末装置、  １１  ＣＰＵ、  １２  記憶装置、  １３  ＲＡＭ
１４  操作部、  １５  表示部、  １６  通信部、  １８  戻るボタン
１９  正面ボタン、  ２０  背面ボタン、  ２１  側面ボタン
２２  再選択ボタン、  ２３  確定ボタン、  ２４  終了ボタン
３０  画像処理装置、  ３１  ＣＰＵ、  ３２  記憶装置
３３  ＲＡＭ、  ３４  通信部、  ３５  出力部、  ３６  入力部
４０  表示装置、  ５０  撮影装置、  ６０  操作装置
７０  ネットワーク、  ７１  アクセスポイント
８０  衣服製造システム、  ８１  衣服製造装置、  ８２  捺染装置
８３  裁断装置、  ８４  縫製装置、  ９１  ＣＰＵ、  ９２  記憶装置
９３  ＲＡＭ、  ９４  操作部、  ９５  表示部、  ９６  通信部
９７  出力部、  ９８  入力部
Ａ１，Ａ２，Ａ３，Ａ４，Ａ５  衣服データ，衣服情報，衣服画像
Ｂ１，Ｂ２，Ｂ３，Ｂ４，Ｂ５，Ｂ６  柄データ，柄情報，柄画像
Ｌ，Ｍ，Ｓ  人形データ，人形画像，体型情報、  Ｒ  表示領域
【図１】
2016158896.tif 000003
【図２】
2016158896.tif 000004
【図３】
2016158896.tif 000005
【図４】
2016158896.tif 000006
【図５】
2016158896.tif 000007
【図６】
2016158896.tif 000008
【図７】
2016158896.tif 000009
【図８】
2016158896.tif 000010
【図９】
2016158896.tif 000011
【図１０】
2016158896.tif 000012
【図１１】
2016158896.tif 000013
【図１２】
2016158896.tif 000014
【図１３】
2016158896.tif 000015
【図１４】
2016158896.tif 000016
【図１５】
2016158896.tif 000017
【図１６】
2016158896.tif 000018
【図１７】
2016158896.tif 000019
【図１８】
2016158896.tif 000020
【図１９】
2016158896.tif 000021
【図２０】
2016158896.tif 000022
【国際調査報告】
2016158896.tif 000023
2016158896.tif 000024